(57)【要約】【課題】マシンタイプコミュニケーションに対応する移動局装置が、効率的に通信を行うことができる移動局装置、基地局装置、無線通信システムを提供する。【解決手段】基地局装置と通信するマシンタイプコミュニケーションに対応する移動局装置であって、基地局装置における下りリンク帯域の中央に配置された共通探索領域において、物理下りリンク制御チャネルをモニタし、共通探索領域は、移動局装置によってサポートされる下りリンク帯域幅に基づいて予め規定された数のリソースブロック内に配置される。【選択図】図３
2013157699.tif 000002
【特許請求の範囲】
【請求項１】
基地局装置と通信するマシンタイプコミュニケーションに対応する移動局装置であって、
前記基地局装置における下りリンク帯域の中央に配置された共通探索領域において、物理下りリンク制御チャネルをモニタし、
前記共通探索領域は、前記移動局装置によってサポートされる下りリンク帯域幅に基づいて予め規定された数のリソースブロック内に配置される
ことを特徴とする移動局装置。
【請求項２】
前記物理下りリンク制御チャネルにおいて、ランダムアクセス識別子を伴う下りリンク制御情報をモニタする
ことを特徴とする請求項１に記載の移動局装置。
【請求項３】
前記物理下りリンク制御チャネルにおいて、無線ネットワーク一時識別子を伴う下りリンク制御情報をモニタする
ことを特徴とする請求項１に記載の移動局装置。
【請求項４】
前記物理下りリンク制御チャネルにおいて、ページング情報をモニタする
ことを特徴とする請求項１に記載の移動局装置。
【請求項５】
マシンタイプコミュニケーションに対応する移動局装置と通信する基地局装置であって、
前記基地局装置における下りリンク帯域の中央に配置された共通探索領域において、物理下りリンク制御チャネルを配置し、
前記共通探索領域は、前記移動局装置によってサポートされる下りリンク帯域幅に基づいて予め規定された数のリソースブロック内に配置される
ことを特徴とする基地局装置。
【請求項６】
前記物理下りリンク制御チャネルにおいて、ランダムアクセス識別子を伴う下りリンク制御情報を前記移動局装置へ送信する
ことを特徴とする請求項５に記載の基地局装置。
【請求項７】
前記物理下りリンク制御チャネルにおいて、無線ネットワーク一時識別子を伴う下りリンク制御情報を前記移動局装置へ送信する
ことを特徴とする請求項５に記載の基地局装置。
【請求項８】
前記物理下りリンク制御チャネルにおいて、ページング情報を前記移動局装置へ送信する
ことを特徴とする請求項５に記載の基地局装置。
【請求項９】
基地局装置とマシンタイプコミュニケーションに対応する移動局装置が通信する無線通信システムであって、
前記基地局装置は、
前記基地局装置における下りリンク帯域の中央に配置された共通探索領域において、物理下りリンク制御チャネルを配置し、
前記移動局装置は、
前記物理下りリンク制御チャネルをモニタし、
前記共通探索領域は、前記移動局装置によってサポートされる下りリンク帯域幅に基づいて予め規定された数のリソースブロック内に配置される
ことを特徴とする無線通信システム。
【請求項１０】
基地局装置と通信する移動局装置であって、
マシンタイプコミュニケーションに対応する移動局装置に対して専用に定義されたリソースを前記基地局装置によって割り当てられ、前記リソースを使用してランダムアクセス手順を実行する
ことを特徴とする移動局装置。
【請求項１１】
前記リソースは、前記マシンタイプコミュニケーションに対応する移動局装置の前記ランダムアクセスに関するスケジューリング情報または前記マシンタイプコミュニケーションに対応する移動局装置の前記ランダムアクセスに関するシーケンス情報を含む
ことを特徴とする請求項１０に記載の移動局装置。
【請求項１２】
前記リソースは、前記基地局装置によって、システムインフォメーションブロックを使用して、前記移動局装置へ割り当てられる
ことを特徴とする請求項１０または請求項１１に記載の移動局装置。
【請求項１３】
移動局装置と通信する基地局装置であって、
マシンタイプコミュニケーションに対応する移動局装置に対して専用に定義されたリソースを前記移動局装置へ割り当て、前記リソースを使用してランダムアクセス手順を実行する
ことを特徴とする基地局装置。
【請求項１４】
前記リソースは、前記マシンタイプコミュニケーションに対応する移動局装置の前記ランダムアクセスに関するスケジューリング情報または前記マシンタイプコミュニケーションに対応する移動局装置の前記ランダムアクセスに関するシーケンス情報を含む
ことを特徴とする請求項１３に記載の基地局装置。
【請求項１５】
前記リソースを、システムインフォメーションブロックを使用して、前記移動局装置へ割り当てる
ことを特徴とする請求項１３または請求項１４に記載の基地局装置。
【請求項１６】
基地局装置と移動局装置が通信する無線通信システムであって、
前記基地局装置は、
マシンタイプコミュニケーションに対応する移動局装置に対して専用に定義されたリソースを前記移動局装置へ割り当て、
前記移動局装置は、
前記リソースを使用してランダムアクセス手順を実行する
ことを特徴とする無線通信システム。
【請求項１７】
基地局装置と通信するマシンタイプコミュニケーションに対応する移動局装置であって、
前記基地局装置における上りリンク帯域の一端のみに配置された物理上りリンク制御チャネルを使用して、上りリンク制御情報を前記基地局装置へ送信する
ことを特徴とする移動局装置。
【請求項１８】
マシンタイプコミュニケーションに対応する移動局装置と通信する基地局装置であって、
前記基地局装置における上りリンク帯域の一端のみに配置された物理上りリンク制御チャネルを前記移動局装置へ割り当てる
ことを特徴とする移動局装置。
【請求項１９】
基地局装置とマシンタイプコミュニケーションに対応する移動局装置が通信する無線通信システムであって、
前記基地局装置は、
前記基地局装置における上りリンク帯域の一端のみに配置された物理上りリンク制御チャネルを前記移動局装置へ割り当て、
前記移動局装置は、
前記物理上りリンク制御チャネルを使用して、上りリンク制御情報を前記基地局装置へ送信する
ことを特徴とする無線通信システム。
【発明の詳細な説明】
【技術分野】
【０００１】
本発明は、移動局装置、基地局装置、および無線通信システムに関する。
【背景技術】
【０００２】
セルラー移動通信の無線アクセス方式および無線ネットワークの進化（以下、「Long Term Evolution （LTE）」、または、「Evolved Universal Terrestrial Radio Access : EUTRA」と称する）が、第三世代パートナーシッププロジェクト（3rd Generation Partnership Project: 3GPP）において検討されている。ＬＴＥでは、基地局装置から移動局装置への下りリンクの通信方式として、直交周波数分割多重（Orthogonal Frequency Division Multiplexing: OFDM）方式が用いられる。また、移動局装置から基地局装置への上りリンクの通信方式として、ＳＣ−ＦＤＭＡ（Single-Carrier Frequency Division Multiple Access）方式が用いられる。ここで、ＬＴＥでは、基地局装置をｅＮｏｄｅＢ（evolved NodeB）、移動局装置をＵＥ（User Equipment）とも呼称する。ＬＴＥは、基地局装置がカバーするエリアをセル状に複数配置するセルラー通信システムである。
【０００３】
ＬＴＥにおいて、基地局装置は、システム帯域中央の７２サブキャリアを用いて、同期信号（Synchronization signal: SS）と物理報知チャネル（Physical Broadcast Channel: PBCH）とを送信する。また、移動局装置は、同期信号を用いてセルサーチ（初期セルサーチ、待ち受けセルサーチ及び通信中セルサーチ）を行ない、キャリア周波数オフセット同期、ＯＦＤＭシンボルタイミング同期、無線フレームタイミング同期および物理レイヤーセル識別子（Physical-layer Cell Identity: PCI）を取得する。また、移動局装置は、セルサーチの後に、物理報知チャネルを用いてマスターインフォメーションブロック（Master information block: MIB）を取得する。ここで、マスターインフォメーションブロックには、セルの下りリンクのシステム帯域幅を示す情報およびシステムフレーム（無線フレーム）の番号（System Frame Number: SFN）を示す情報などが含まれる。
【０００４】
また、移動局装置は、ＰＢＣＨを受信した後に、物理下りリンク共用チャネル（Physical Downlink Shared Channel: PDSCH）を用いて、複数のシステムインフォメーションブロック（System information block: SIB）を取得する。ここで、ＭＩＢおよびＳＩＢはシステム情報である。また、ＳＩＢは、複数の移動局装置に対して共通である無線リソース設定情報が含まれる。ここで、基地局装置は、セルの下りリンクの帯域のうちの一部をＰＤＳＣＨに割り当てる。さらに、基地局装置は、単一のＰＤＳＣＨのスケジューリングに用いられる下りリンク制御情報（Downlink Control Information: DCI）を単一の物理下りリンク制御チャネル（Physical Downlink Control Channel: PDCCH）を用いて送信する。また、基地局装置は、ＳＩＢを送信するためのＰＤＳＣＨのスケジューリングに用いられる下りリンク制御情報を、共通探索領域（Common Search Space: CSS）におけるＰＤＣＣＨで送信する。ここで、ＣＳＳは、全ての移動局装置に対して共通であるＰＤＣＣＨの送信に用いられ、全ての移動局装置はＣＳＳにおいてＰＤＣＣＨをモニタ（監視）する。
【０００５】
さらに、移動局装置は、ＳＩＢに含まれる無線リソース設定情報に基づいて、物理ランダムアクセスチャネル（Physical Random Access Channel: PRACH）の設定を行なう。また、移動局装置は、ＰＲＡＣＨの設定を行なった後に、ランダムアクセスプロシージャを開始し、上りリンクの送信タイミングの調整を行なう。さらに、移動局装置は、上りリンクの送信タイミングの調整を行なった後に、コネクション要求（connection request）メッセージを基地局装置に送信し、初期コネクション確立（initial connection establishment）プロシージャを開始する。
【０００６】
ここで、ＬＴＥにおいて、同一のチャネル構造のセル（コンポーネントキャリア）を複数用いて、移動局装置と基地局装置が通信をする技術（セル集約:cell aggregation、キャリア集約:carrier aggregationとも称される）が用いられる。例えば、セル集約を用いた通信では、複数のセルを用いて、移動局装置と基地局装置とが複数の物理チャネルでの送受信を同時に行うことができる。また、例えば、移動局装置と基地局装置とが１つのセルにおいて初期コネクション確立を行なった後に、基地局装置が移動局装置との通信に用いるセルを追加することができる。
【０００７】
一方、ＬＴＥ−Ａｄｖａｎｃｅｄの拡張規格（LTE Release 11）の検討では、マシンタイプコミュニケーション（Machine Type Communication: MTC）またはマシン間通信（Machine Type Communication: M2M）移動局装置の低コスト化のStudy Itemが提案されている（非特許文献１）。以降にＭＴＣ／Ｍ２Ｍの移動局装置、またはＭＴＣ／Ｍ２Ｍの通信デバイスは、ＭＴＣＵＥ（Machine Type Communication User Equipment）とも称する。すなわち、ＬＴＥ規格（LTE Release 8,9）及びＬＴＥ−Ａｄｖａｎｃｅｄ規格（LTE Release 10）対応のシステムと後方互換性を持ちながら、低コストのＭＴＣＵＥを実現するために、送受信帯域幅の狭帯域化、アンテナポート数／ＲＦチェン本数の削減、送受信データ転送レートの低減、半二重周波数分割多重（Half-duplex Frequency Division Duplex）方式の採用、送信電力の低減、間欠受信間隔の延長などコスト低減方法が提案されている。
【先行技術文献】
【非特許文献】
【０００８】
【非特許文献１】"Study on Provision of low-cost MTC UEs based on LTE", RP-111112, TSG RAN meeting #53, Fukuoka, Japan, 13th-16th September, 2011.
【発明の概要】
【発明が解決しようとする課題】
【０００９】
上記のように、低コストＭＴＣＵＥを実現するために、ＭＴＣＵＥの送受信最大周波数帯域幅は、２０ＭＨｚより狭い周波数帯域幅、例えば１．４ＭＨｚに制限することが提案されている。しかしながら、従来のＬＴＥ規格（LTE Release 8,9）及びＬＴＥ−Ａｄｖａｎｃｅｄ規格（LTE Release 10）対応のシステムと後方互換性を持ちながら、基地局装置の送受信方法、移動局装置の送受信方法および通信プロトコルなど具体的な実現方法が提示されていない。
【課題を解決するための手段】
【００１０】
（１）上記の目的を達成するために、本発明は、以下のような手段を講じた。すなわち、基地局装置と通信するマシンタイプコミュニケーションに対応する移動局装置であって、前記基地局装置における下りリンク帯域の中央に配置された共通探索領域において、物理下りリンク制御チャネルをモニタし、前記共通探索領域は、前記移動局装置によってサポートされる下りリンク帯域幅に基づいて予め規定された数のリソースブロック内に配置されることを特徴としている。
【００１１】
（２）また、前記移動局装置は、前記物理下りリンク制御チャネルにおいて、ランダムアクセス識別子を伴う下りリンク制御情報をモニタすることを特徴としている。
【００１２】
（３）また、前記移動局装置は、前記物理下りリンク制御チャネルにおいて、無線ネットワーク一時識別子を伴う下りリンク制御情報をモニタすることを特徴としている。
【００１３】
（４）また、前記移動局装置は、前記物理下りリンク制御チャネルにおいて、ページング情報をモニタすることを特徴としている。
【００１４】
（５）また、マシンタイプコミュニケーションに対応する移動局装置と通信する基地局装置であって、前記基地局装置における下りリンク帯域の中央に配置された共通探索領域において、物理下りリンク制御チャネルを配置し、前記共通探索領域は、前記移動局装置によってサポートされる下りリンク帯域幅に基づいて予め規定された数のリソースブロック内に配置されることを特徴としている。
【００１５】
（６）また、前記基地局装置は、前記物理下りリンク制御チャネルにおいて、ランダムアクセス識別子を伴う下りリンク制御情報を前記移動局装置へ送信することを特徴としている。
【００１６】
（７）また、前記基地局装置は、前記物理下りリンク制御チャネルにおいて、ランダムアクセス識別子を伴う下りリンク制御情報を前記移動局装置へ送信することを特徴としている。
【００１７】
（８）また、前記基地局装置は、前記物理下りリンク制御チャネルにおいて、ページング情報を前記移動局装置へ送信することを特徴としている。
【００１８】
（９）また、基地局装置とマシンタイプコミュニケーションに対応する移動局装置が通信する無線通信システムであって、前記基地局装置は、前記基地局装置における下りリンク帯域の中央に配置された共通探索領域において、物理下りリンク制御チャネルを配置し、前記移動局装置は、前記物理下りリンク制御チャネルをモニタし、前記共通探索領域は、前記移動局装置によってサポートされる下りリンク帯域幅に基づいて予め規定された数のリソースブロック内に配置されることを特徴としている。
【００１９】
（１０）また、基地局装置と通信する移動局装置であって、マシンタイプコミュニケーションに対応する移動局装置に対して専用に定義されたリソースを前記基地局装置によって割り当てられ、前記リソースを使用してランダムアクセス手順を実行することを特徴としている。
【００２０】
（１１）また、前記リソースは、前記マシンタイプコミュニケーションに対応する移動局装置の前記ランダムアクセスに関するスケジューリング情報または前記マシンタイプコミュニケーションに対応する移動局装置の前記ランダムアクセスに関するシーケンス情報を含むことを特徴としている。
【００２１】
（１２）また、前記リソースは、前記基地局装置によって、システムインフォメーションブロックを使用して、前記移動局装置へ割り当てられることを特徴としている。
【００２２】
（１３）また、移動局装置と通信する基地局装置であって、マシンタイプコミュニケーションに対応する移動局装置に対して専用に定義されたリソースを前記移動局装置へ割り当て、前記リソースを使用してランダムアクセス手順を実行することを特徴としている。
【００２３】
（１４）また、前記リソースは、前記マシンタイプコミュニケーションに対応する移動局装置の前記ランダムアクセスに関するスケジューリング情報または前記マシンタイプコミュニケーションに対応する移動局装置の前記ランダムアクセスに関するシーケンス情報を含むことを特徴としている。
【００２４】
（１５）また、前記基地局装置は、前記リソースを、システムインフォメーションブロックを使用して、前記移動局装置へ割り当てることを特徴としている。
【００２５】
（１６）また、基地局装置と移動局装置が通信する無線通信システムであって、前記基地局装置は、マシンタイプコミュニケーションに対応する移動局装置に対して専用に定義されたリソースを前記移動局装置へ割り当て、前記移動局装置は、前記リソースを使用してランダムアクセス手順を実行することを特徴としている。
【００２６】
（１７）また、基地局装置と通信するマシンタイプコミュニケーションに対応する移動局装置であって、前記基地局装置における上りリンク帯域の一端のみに配置された物理上りリンク制御チャネルを使用して、上りリンク制御情報を前記基地局装置へ送信することを特徴としている。
【００２７】
（１８）また、マシンタイプコミュニケーションに対応する移動局装置と通信する基地局装置であって、前記基地局装置における上りリンク帯域の一端のみに配置された物理上りリンク制御チャネルを前記移動局装置へ割り当てることを特徴としている。
【００２８】
（１９）また、基地局装置とマシンタイプコミュニケーションに対応する移動局装置が通信する無線通信システムであって、前記基地局装置は、前記基地局装置における上りリンク帯域の一端のみに配置された物理上りリンク制御チャネルを前記移動局装置へ割り当て、前記移動局装置は、前記物理上りリンク制御チャネルを使用して、上りリンク制御情報を前記基地局装置へ送信することを特徴としている。
【発明の効果】
【００２９】
本発明によれば、マシンタイプコミュニケーションに対応する移動局装置が、効率的に通信を行うことができる。
【図面の簡単な説明】
【００３０】
【図１】本発明の第１の実施形態に関わる無線通信システムの概念図である。
【図２】本発明の第１の実施形態に関わる下りリンクの無線フレームの構成及びＵＥ1に対応する物理下りリンクチャネルのマッピングの一例を示す図である。
【図３】本発明の第１の実施形態に関わるＭＴＵＥ1に対応する物理下りリンクチャネルのマッピングの一例を示す図である。
【図４ａ】本発明の第１の実施形態に関わるＭＴＵＥ1に対応する物理下りリンクチャネルのマッピングの別の例を示す図である。
【図４ｂ】本発明の第１の実施形態に関わるＭＴＵＥ1に対応する物理下りリンクチャネルのマッピングの別の例を示す図である。
【図５】本発明の第１の実施形態に関わる移動局装置のサーチスペースの一例を示す図である。
【図６】本発明の第１の実施形態に関わるＰＤＣＣＨのリソース領域内またはＭＴＣ−ＰＤＣＣＨ（４）のリソース領域内のサーチスペースの構成の一例を示す図である。
【図７】本発明の第１の実施形態に関わるＳＩＢリソースのマッピングの一例を示す図である。
【図８】本発明の第１の実施形態に関わる上りリンクの無線フレームの構成及びＵＥ1に対応する物理上りリンクチャネルのマッピングの一例を示す図である。
【図９】本発明の第１の実施形態に関わるＭＴＵＥ1に対応する物理上りリンクチャネルのマッピングの一例を示す図である。
【図１０】本発明の第１の実施形態に関わるＰＲＡＣＨ用リソースのマッピングの一例を示す図である。
【図１１】本発明の第１の実施形態に関わる移動局装置のシステムインフォメーション獲得手順の一例を示す図である。
【図１２ａ】本発明の第１の実施形態に関わるＲＡＣＨシーケンスグループの例を示す図である。
【図１２ｂ】本発明の第１の実施形態に関わるＲＡＣＨシーケンスグループの例を示す図である。
【図１３】本発明の第１の実施形態に関わるにランダムアクセス手順の一例を示す図である。
【図１４】本発明の第１の実施形態に関わるにページングの送信手順の一例を示す図である。
【図１５】本発明の第１の実施形態に関わる基地局装置の構成を示す図である。
【図１６】本発明の第１の実施形態に関わるＭＴＣＵＥ１の構成を示す図である。
【発明を実施するための第１の実施形態】
【００３１】
以下、図面を参照しながら本発明の第１の実施形態について詳しく説明する。
【００３２】
本発明の第１の実施形態に関わる無線通信システムの物理チャネルについて説明する。図１は、本発明の第１の実施形態に関わる無線通信システムの概念図を示している。図１において、無線通信システムは、本発明に関わるＬＴＥ−Ａｄｖａｎｃｅｄの拡張規格（LTE Release 11）対応の低コストのＭＴＣ移動局装置（１Ａ〜１Ｃ）、従来のＬＴＥ規格（LTE Release 8,9）及びＬＴＥ−Ａｄｖａｎｃｅｄ規格（Release 10）対応の移動局装置（２Ａ〜２Ｃ）、および基地局装置（３）を具備する。以下、ＬＴＥ−Ａｄｖａｎｃｅｄの拡張規格（LTE Release 11）対応の低コストのＭＴＣ移動局装置（１Ａ〜１Ｃ）をＭＴＣＵＥ１、従来のＬＴＥ規格（LTE Release 8,9）及びＬＴＥ−Ａｄｖａｎｃｅｄ規格（LTE Release 10）対応の移動局装置（２Ａ〜２Ｃ）をＵＥ１と称する。ＭＴＣＵＥ１とＵＥ１を含めて移動局装置と総称する。ＵＥ１とＭＴＣＵＥ１に対応する基地局装置（３）を基地局装置と総称する。
【００３３】
ここで、ＭＴＣＵＥ１（ＭＴＣデバイス、またはＭＴＣ端末とも呼称される）には、マシンタイプコミュニケーション（マシン間通信）のために備えられたユーザ機器が含まれる。例えば、ＭＴＣＵＥ１は、異なる特徴（例えば、eNodeBs、home eNodeBs、e-UTRA Relays）を伴う複数のセルを備えるアクセスネットワークと通信することができる。
【００３４】
図１は、基地局装置からＵＥ１への下りリンクの無線通信において、下りリンク参照信号（Downlink Reference Signal: DLRS）、同期信号（Synchronization signal: SS）、物理報知チャネル（Physical Broadcast Channel: PBCH）、物理下りリンク制御チャネル（Physical Downlink Control Channel: PDCCH）、物理下りリンク共用チャネル（Physical Downlink Shared Channel: PDSCH）、物理制御フォーマットインディケータチャネル（Physical Control Format Indicator Channel: PCFICH）および物理ＨＡＲＱインディケータチャネル（Physical Hybrid ARQ Indicator Channel: PHICH）が用いられることを示す。
【００３５】
また、図１は、基地局装置からＭＴＣＵＥ１への下りリンクの無線通信において、ＵＥ１と共用のＤＬＲＳ、ＳＳ、ＰＢＣＨと、ＭＴＣＵＥ１対応の物理下りリンク制御チャネル（４）（MTC-PDCCH）、ＭＴＣＵＥ１対応の物理下りリンク共用チャネル（MTC-PDSCH）、ＭＴＣＵＥ１対応の物理制御フォーマットインディケータチャネル（MTC-PCFICH）およびＭＴＣＵＥ１対応の物理ＨＡＲＱインディケータチャネル（MTC-PHICH）が用いられることを示す。
【００３６】
また、図１は、ＵＥ１から基地局装置への上りリンクの無線通信において、上りリンク参照信号（Uplink Reference Signal: ULRS）、物理上りリンク制御チャネル（Physical Uplink Control Channel: PUCCH）、物理上りリンク共用チャネル（Physical Uplink Shared Channel: PUSCH）および物理ランダムアクセスチャネル（Physical Random Access Channel: PRACH）が用いられることを示す。
【００３７】
また、図１は、ＭＴＣＵＥ１から基地局装置への上りリンクの無線通信において、ＭＴＣＵＥ１対応の上りリンク参照信号（MTC Uplink Reference Signal: MTC-ULRS）、ＭＴＣＵＥ１対応の物理上りリンク制御チャネル（９）（MTC Physical Uplink Control Channel: MTC-PUCCH）、ＭＴＣＵＥ１対応の物理上りリンク共用チャネル（MTC Physical Uplink Shared Channel: MTC-PUSCH）およびＭＴＣＵＥ１対応の物理ランダムアクセスチャネル（１０）（MTC Physical Random Access Channel: MTC-PRACH）が用いられることを示す。
【００３８】
ここで、ＳＳは、ＵＥが下りリンクの周波数領域および時間領域の同期をとるために用いられる。下りリンク参照信号は、ＵＥが下りリンクの周波数領域および時間領域の同期をとるために用いられたり、ＵＥが下りリンクの受信品質を測定するために用いられたり、ＵＥがＰＤＳＣＨやＰＤＣＣＨの伝搬路補正を行なうために用いられる。
【００３９】
また、ＰＢＣＨは、セル内のＵＥで共通に用いられるシステム情報であるマスターインフォメーションブロック（Master Information Block: MIB）を報知するために用いられる物理チャネルである。例えば、ＰＢＣＨは、４０ｍｓ間隔で送信される。ここで、４０ｍｓ間隔のタイミングは、ＵＥにおいてブラインド検出（blind detection）される。また、ＰＢＣＨは、１０ｍｓ間隔で再送信される。ＭＩＢには、システム帯域幅、無線フレーム番号（System Frame Number: SFN）など、他のシステム情報を受信するための必須な物理レイヤ情報が含まれている。
【００４０】
また、ＰＤＣＣＨは、下りリンクアサインメント（「Downlink Assignment: DA」、または、「Downlink Grant: DG」とも称する）や上りリンクグラント（Uplink Grant: UG）などの下りリンク制御情報（Downlink Control Information: DCI）を送信するために用いられる物理チャネルである。例えば、下りリンクアサインメントには、ＰＤＳＣＨに対する変調方式および符号化率に関する情報（Modulation and Coding Scheme: MCS）、無線リソースの割り当てを示す情報、ＰＵＣＣＨに対するＴＰＣコマンド（Transmission Power Control command）などが含まれる。また、上りリンクグラントには、ＰＵＳＣＨに対する変調方式および符号化率に関する情報、無線リソースの割り当てを示す情報、ＰＵＳＣＨに対するＴＰＣコマンドなどが含まれる。
【００４１】
ここで、ＰＤＣＣＨで送信される下りリンク制御情報には複数のフォーマットが定義される。下りリンク制御情報のフォーマットをＤＣＩフォーマット（DCI format）と呼ぶ。例えば、ＤＣＩフォーマット０は、単一のセル内のシングルアンテナポート送信方式のＰＵＳＣＨのスケジューリングに用いられる。また、ＤＣＩフォーマット４は、単一のセル内のマルチアンテナポート送信方式のＰＵＳＣＨのスケジューリングに用いられる。また、ＤＣＩフォーマット１Ａは、単一のセル内のシングルアンテナポート送信方式またはトランスミッションダイバーシチ送信方式のＰＤＳＣＨのスケジューリングに用いられる。また、ＤＣＩフォーマット２は、単一のセル内のマルチアンテナポート送信方式のＰＤＳＣＨのスケジューリングに用いられる。すなわち、ＤＣＩフォーマット０およびＤＣＩフォーマット４は、上りリンクグラントである。また、ＤＣＩフォーマット１ＡおよびＤＣＩフォーマット２は、下りリンクアサインメントである。
【００４２】
また、ＰＤＳＣＨは、ページング情報（Paging Channel: PCH）、ＳＩＢ情報(Broadcast Channel: BCH)および下りリンクデータ（Downlink Shared Channel: DL-SCH）を送信するために用いられる物理チャネルである。ここで、ＳＩＢ情報は、複数のＵＥに対して共通である無線リソース設定情報が含まれる。
【００４３】
また、ＰＣＦＩＣＨは、ＰＤＣＣＨが配置される領域（ＯＦＤＭシンボル）を示す情報を送信するために用いられる物理チャネルである。また、ＰＨＩＣＨは、基地局装置が受信した上りリンクデータの復号の成否を示すＨＡＲＱインディケータ（応答情報）を送信するために用いられる物理チャネルである。例えば、基地局装置がＰＵＳＣＨに含まれる上りリンクデータの復号に成功した場合は、該上りリンクデータに対するＨＡＲＱインディケータはＡＣＫ（Acknowledgement）を示し、基地局装置がＰＵＳＣＨに含まれる上りリンクデータの復号に失敗した場合は、該上りリンクデータに対するＨＡＲＱインディケータはＮＡＣＫ（Negative Acknowledgement）を示す。単一のＰＨＩＣＨは、単一の上りリンクデータに対するＨＡＲＱインディケータを送信する。同一のＰＵＳＣＨに含まれる複数の上りリンクデータに対するＨＡＲＱインディケータは、複数のＰＨＩＣＨを用いて送信される。
【００４４】
さらに、ＭＴＣ−ＰＤＣＣＨ（４）は、ＭＴＣＵＥ１対応のＰＤＣＣＨであり、ＭＴＣＵＥ１に対する下りリンク制御情報（ＤＣＩ）を送信するために用いられる物理チャネルである。
【００４５】
また、ＭＴＣ−ＰＤＳＣＨは、ＭＴＣＵＥ１対応のＰＤＳＣＨであり、ＭＴＣＵＥ１に対するＰＣＨ、ＳＩＢ情報およびＤＬ−ＳＣＨを送信するために用いられる物理チャネルである。ＭＴＣ−ＰＣＦＩＣＨは、ＭＴＣＵＥ１対応のＰＣＦＩＣＨであり、ＭＴＣ−ＰＤＣＣＨ（４）が配置される領域（ＯＦＤＭシンボル）を示す情報を送信するために用いられる物理チャネルである。ＭＴＣ−ＰＨＩＣＨは、ＭＴＣＵＥ１対応のＰＨＩＣＨであり、基地局装置が受信した上りリンクデータの復号の成否を示すＨＡＲＱインディケータ（応答情報）を送信するために用いられる物理チャネルである。
【００４６】
また、ＵＬＲＳは、基地局装置がＵＥ１の上りリンクの時間領域の同期をとるために用いられたり、基地局装置がＵＥ１の上りリンクの受信品質を測定するために用いられたり、基地局装置がＰＵＳＣＨやＰＵＣＣＨの伝搬路補正を行なうために用いられる信号である。ＵＬＲＳには、ＰＵＳＣＨまたはＰＵＣＣＨと時間多重されて送信されるＵＬＲＳの１つであるデータの復調用参照信号（Demodulation Reference Signal: DMRS）と、ＰＵＳＣＨおよびＰＵＣＣＨとは関係なく送信されるＵＬＲＳの１つであるサンディング参照信号（Sounding Reference Signal: SRS）がある。
【００４７】
また、ＰＵＣＣＨは、下りリンクのチャネル品質を示すチャネル状態情報（Channel State Information: CSI）、ＰＵＳＣＨの無線リソースの要求を示すスケジューリング要求（Scheduling Request: SR）、ＵＥ１が受信した下りリンクデータの復号の成否を示すＡＣＫ／ＮＡＣＫなど、通信の制御に用いられる情報である上りリンク制御情報（Uplink Control Information: UCI）を送信するために用いられる物理チャネルである。
【００４８】
また、ＰＵＳＣＨは、上りリンクデータ（Uplink Shared Channel: UL-SCH）や上りリンク制御情報を送信するために用いられる物理チャネルである。ＰＲＡＣＨは、ランダムアクセスプリアンブルを送信するために用いられる物理チャネルである。また、ＰＲＡＣＨは、ＵＥ１が基地局装置と時間領域の同期をとることを主な目的とし、その他に、初期コネクション確立（initial connection establishment）プロシージャ、ハンドオーバプロシージャ、コネクション再確立（connection re-establishment）プロシージャ、上りリンク送信に対する同期（タイミング調整）、および上りリンク無線リソースの割り当ての要求に用いられる。
【００４９】
また、ＭＴＣ−ＵＬＲＳは、基地局装置がＭＴＣＵＥ１の上りリンクの時間領域の同期をとるために用いられたり、基地局装置がＭＴＣＵＥ１の上りリンクの受信品質を測定するために用いられたり、基地局装置がＭＴＣ−ＰＵＳＣＨやＭＴＣ−ＰＵＣＣＨ（９）の伝搬路補正を行なうために用いられる信号である。ＭＴＣ−ＵＬＲＳには、ＭＴＣ−ＰＵＳＣＨまたはＭＴＣ−ＰＵＣＣＨ（９）と時間多重されて送信されるＭＴＣ−ＵＬＲＳの１つであるＭＴＣＵＥ用データの復調用参照信号（MTC Demodulation Reference Signal: MTC-DMRS）と、ＭＴＣ−ＰＵＳＣＨおよびＭＴＣ−ＰＵＣＣＨ（９）とは関係なく送信されるＭＴＣ−ＵＬＲＳの１つであるＭＴＣＵＥ用サンディング参照信号（MTC Sounding Reference Signal: MTC-SRS）がある。
【００５０】
また、ＭＴＣ−ＰＵＣＣＨ（９）は、ＭＴＣＵＥ１の下りリンクのチャネル品質を示すチャネル状態情報（MTC Channel State Information: MTC-CSI）、ＭＴＣ−ＰＵＳＣＨの無線リソースの要求を示すスケジューリング要求（MTC Scheduling Request: MTC-SR）、ＭＴＣＵＥ１が受信した下りリンクデータの復号の成否を示すＡＣＫ／ＮＡＣＫなど、通信の制御に用いられる情報である上りリンク制御情報（MTC Uplink Control Information: MTC-UCI）を送信するために用いられる物理チャネルである。
【００５１】
また、ＭＴＣ−ＰＵＳＣＨは、ＭＴＣＵＥ用上りリンクデータ（MTC Uplink Shared Channel: MTC-UL-SCH）や上りリンク制御情報を送信するために用いられる物理チャネルである。また、ＭＴＣ−ＰＲＡＣＨ（１０）は、ＭＴＣＵＥ用ランダムアクセスプリアンブルを送信するために用いられる物理チャネルである。ＭＴＣ−ＰＲＡＣＨ（１０）は、ＭＴＣＵＥ１が基地局装置と時間領域の同期をとることを主な目的とし、その他に、初期コネクション確立（initial connection establishment）プロシージャ、ハンドオーバプロシージャ、コネクション再確立（connection re-establishment）プロシージャ、上りリンク送信に対する同期（タイミング調整）、および上りリンク無線リソースの割り当ての要求に用いられる。
【００５２】
図２は、本発明の第１の実施形態に関わる下りリンクの無線フレームの構成の一例を示す図である。時間リソースとして、無線フレームの長さは１０ｍｓで、１０個のサブフレームで構成されている。サブフレームの長さは１ｍｓで、２つのスロットで構成されている。スロットの長さは０．５ｍｓで、７個のＯＦＤＭシンボルで構成されている。また、周波数リソースとして、下りリンクシステム帯域幅は複数のＯＦＤＭサブキャリアで構成されている。１つのサブキャリアの周波数帯域幅は１５ｋＨｚであり、サブキャリア数は下りリンクシステム帯域幅に依存する。無線リソースの最小単位であるリソースエレメントは、１つのサブキャリアと１つのＯＦＤＭシンボルにより構成されている。リソースエレメントは、サブキャリア番号とＯＦＤＭシンボル番号を用いて識別する。
【００５３】
ここで、リソースブロックは、ある物理下りリンクチャネルのリソースエレメントのマッピングを表現するために用いられる。リソースブロックは、仮想リソースブロックと物理リソースブロックが定義される。ある物理下りリンクチャネルは、まず仮想リソースブロックにマッピングされる。その後、仮想リソースブロックは、物理リソースブロックにマッピングされる。１つの物理リソースブロックは、時間領域において７個の連続するＯＦＤＭシンボルと、周波数領域において１２個の連続するサブキャリアとから定義される。ゆえに、１つの物理リソースブロックは（７×１２）個のリソースエレメントから構成される。また、１つの物理リソースブロックは、時間領域において１つのスロットに対応し、周波数領域において１８０ｋＨｚに対応する。物理リソースブロックは周波数領域において０から番号が付けられる。
【００５４】
（物理下りリンクチャネルのマッピングについて）
また、図２は、本発明の第１の実施形態に関わるＵＥ1に対応する物理下りリンクチャネルのマッピングの一例を示す図である。ＰＣＦＩＣＨは、サブフレーム内の０番（最初）のＯＦＤＭシンボルにマッピングされる。また、ＰＣＦＩＣＨは、周波数領域において分散した４つのリソースエレメントグループにマッピングされる。リソースエレメントグループは、連続する複数のリソースエレメントから構成される。ＰＨＩＣＨは、サブフレーム内の０番（最初のサブフレーム）のＯＦＤＭシンボルにマッピングされる。１つのＰＣＦＩＣＨは、周波数領域において分散した３つのリソースエレメントグループにマッピングされる。また、基地局装置は、複数のＰＣＦＩＣＨを、同じリソースエレメント上で符号多重することができる。
【００５５】
ここで、ＰＤＣＣＨは、サブフレーム内の０番、０番と１番または０番から２番までのＯＦＤＭシンボルにマッピングされる。０番のＯＦＤＭシンボルにおいて、ＰＤＣＣＨはＰＣＦＩＣＨおよびＰＨＩＣＨがマッピングされるリソースエレメントを避けてマッピングされる。ＵＥ１は、ＰＣＦＩＣＨで受信した情報基づいて、ＰＤＣＣＨがマッピングされるＯＦＤＭシンボルを認識する。また、基地局装置は、複数のＰＤＣＣＨを、時間および周波数多重することができる。
【００５６】
また、ＰＤＳＣＨは、サブフレーム内のＰＤＣＣＨがマッピングされないＯＦＤＭシンボルにマッピングされる。基地局装置は、複数のＰＤＳＣＨを周波数多重、時間多重および／または空間多重することができる。
【００５７】
また、ＳＳは、時間領域において無線フレームのそれぞれにおいて０番と５番のサブフレームで送信される。当該０番と５番のサブフレームにおいて、同期信号は第１のスロットの５番と６番のＯＦＤＭシンボルで送信される。また、同期信号は、周波数領域において、セルの下りリンクシステム帯域幅の中心周波数ｆ１を対称に７２サブキャリアで送信される。
【００５８】
また、ＰＢＣＨは、時間領域において無線フレームのそれぞれにおいて０番のサブフレームで送信される。当該０番のサブフレームにおいて、ＰＢＣＨは第２のスロットの０番から３番までのＯＦＤＭシンボルで送信される。また、ＰＢＣＨは、周波数領域において、セルの下りリンクシステム帯域中央の７２サブキャリアで送信される。尚、図２において、下りリンク参照信号の説明は省略する。
【００５９】
図３は、本発明の第１の実施形態に関わるＭＴＵＥ1に対応する物理下りリンクチャネルのマッピングの一例を示す図である。図３において、ＵＥ１対応のリソースエレメントは下りリンクシステム帯域幅（例えば２０ＭＨｚ）の中心周波数ｆ１を中心として示されており、ＭＴＣＵＥ１対応の下りリンクシステム帯域幅（例えば５ＭＨｚ）は、ＵＥ１対応の下りリンクシステム帯域幅（例えば２０ＭＨｚ）以内にある。なお、ＭＴＣＵＥ１対応の下りリンクシステム帯域幅（下りリンク帯域幅とも呼称する）とは、ＭＴＣＵＥ１がサポートする下りリンクシステム帯域幅のことを示している。ここで、ＭＴＣＵＥ１対応の下りリンクシステム帯域幅（例えば５ＭＨｚ）の中心周波数はｆ１である。すなわち、ＭＴＣＵＥ１対応の下りリンクシステム帯域幅は、基地局装置における下りリンクシステム帯域幅（例えば２０ＭＨｚ）より狭く、例えば１．４ＭＨｚ、３ＭＨｚ、５ＭＨｚ、１０ＭＨｚ、１５ＭＨｚなどを持つことができる。すなわち、例えば、ＭＴＣＵＥ１は、１．４ＭＨｚ、３ＭＨｚ、５ＭＨｚ、１０ＭＨｚ、１５ＭＨｚなどの、ＭＴＣＵＥ１対応の下りリンクシステム帯域幅で動作することができる。すなわち、ＭＴＣＵＥ１対応の下りリンクシステム帯域幅は、従来のＵＥ１よりも制限されるとみなすことができる。
【００６０】
図３において、例えば、ＭＴＣＵＥ１対応のＳＳ、ＰＢＣＨ、及びＤＬＲＳは、ＵＥ１対応のものを利用して、ＭＴＣＵＥ１対応の下りリンクシステム帯域幅以内のリソースエレメントを使用する。
【００６１】
ここで、ＭＴＣ−ＰＣＦＩＣＨは、サブフレーム内の６番（最後のサブフレーム）のＯＦＤＭシンボルにマッピングされる。また、ＭＴＣ−ＰＣＦＩＣＨは、周波数領域において分散した４つのリソースエレメントグループにマッピングされる。リソースエレメントグループは、連続する複数のリソースエレメントから構成される。また、ＭＴＣ−ＰＨＩＣＨは、サブフレーム内の６番のＯＦＤＭシンボルにマッピングされる。１つのＭＴＣ−ＰＣＦＩＣＨは、周波数領域において分散した３つのリソースエレメントグループにマッピングされる。また、基地局装置は、複数のＭＴＣ−ＰＣＦＩＣＨを、同じリソースエレメント上で符号多重することができる。
【００６２】
また、例えば、ＭＴＣ−ＰＤＣＣＨ（４）は、サブフレーム内の６番のＭＴＣ−ＰＤＣＣＨのリソース領域（４Ａ）、６番と５番のＭＴＣ−ＰＤＣＣＨのリソース領域（４Ｂ）または６番から４番のＭＴＣ−ＰＤＣＣＨのリソース領域（４Ｃ）までのＯＦＤＭシンボルにマッピングされる。ここで、６番のＯＦＤＭシンボルにおいて、ＭＴＣ−ＰＤＣＣＨ（４）はＭＴＣ−ＰＣＦＩＣＨおよびＭＴＣ−ＰＨＩＣＨがマッピングされるリソースエレメントを避けてマッピングされる。また、ＭＴＣＵＥ１は、ＭＴＣ−ＰＣＦＩＣＨで受信した情報に基づいて、ＭＴＣ−ＰＤＣＣＨ（４）がマッピングされるＯＦＤＭシンボル（ＯＦＤＭシンボルの開始位置）を認識する。
【００６３】
また、ＭＴＣ−ＰＤＳＣＨは、ＭＴＣＵＥ１対応の下りリンクシステム帯域幅以内のサブフレーム内のＭＴＣ−ＰＤＣＣＨ（４）がマッピングされないＯＦＤＭシンボルにマッピングされる。基地局装置は、複数のＭＴＣ−ＰＤＳＣＨを周波数多重、時間多重および／または空間多重することができる。ここで、ＭＴＣ−ＰＤＳＣＨのリソース領域はＭＴＣＵＥ１対応の下りリンクシステム帯域幅以内のＰＤＳＣＨのリソース領域と同じであるため、ＭＴＣ−ＰＤＳＣＨはＭＴＣＵＥ１対応の下りリンクシステム帯域幅以内のＰＤＳＣＨと同じ意味である。基地局装置では、２つのリソース領域におけるＵＥ１とＭＴＣＵＥ１用リソースのマッピングは衝突がなく、適切にスケジューリングすることができる。
【００６４】
同様に、図４a，ｂは、ＭＴＵＥ1に対応する物理下りリンクチャネルのマッピングの一例を示す別の図である。図４ａに示すように、例えば、ＭＴＣ−ＰＤＣＣＨ（１１）は、ＭＴＣＵＥ１対応の下りリンクシステム帯域幅以内のサブフレーム内の複数の物理リソースブロックで構成されたＭＴＣ−ＰＤＣＣＨのリソース領域（１１Ａ〜１１Ｃ）にマッピングされる。ＭＴＣ−ＰＤＣＣＨ（１１）はＭＴＣ−ＰＣＦＩＣＨおよびＭＴＣ−ＰＨＩＣＨがマッピングされるリソースエレメントを避けてマッピングされる。ＭＴＣＵＥ１は、ＭＴＣ−ＰＣＦＩＣＨで受信した情報に基づいて、ＭＴＣ−ＰＤＣＣＨ（１１）がマッピングされる物理リソース領域の大きさ、例えば図４ａに示したＭＴＣ−ＰＤＣＣＨ領域（１１Ａ〜１１Ｃ）ブロックを認識する。
【００６５】
また、図４ａに示すように、ＭＴＣ−ＰＤＣＣＨのリソース領域（１１Ａ〜１１Ｃ）は、第２のスロットに、複数の物理リソースブロックにマッピングされる。一例として、ＭＴＣ−ＰＤＣＣＨのリソース領域（１１Ａ〜１１Ｃ）は、それぞれ１、２、３個の物理リソースブロックにマッピングされている。物理リソースブロックの個数はＭＴＣ−ＰＣＦＩＣＨの情報によって指示される。
【００６６】
また、ＭＴＣ−ＰＣＦＩＣＨは、ＭＴＣ−ＰＤＣＣＨのリソース領域（１１Ａ〜１１Ｃ）にマッピングされる。例えば、第２のスロット内の１番のＯＦＤＭシンボルにマッピングされる。また、ＭＴＣ−ＰＣＦＩＣＨは、周波数領域において分散した２つのリソースエレメントグループにマッピングされる。リソースエレメントグループは、連続する複数のリソースエレメントから構成される。
【００６７】
また、ＭＴＣ−ＰＨＩＣＨは、例えば、第２のスロット内の２番のＯＦＤＭシンボルにマッピングされる。１つのＭＴＣ−ＰＨＩＣＨは、周波数領域において分散した２つのリソースエレメントグループにマッピングされる。また、基地局装置は、複数のＭＴＣ−ＰＨＩＣＨを、同じリソースエレメント上で符号多重することができる。
【００６８】
また、ＭＴＣ−ＰＤＳＣＨは、ＭＴＣＵＥ１対応の下りリンクシステム帯域幅以内のサブフレーム内のＭＴＣ−ＰＤＣＣＨ（４）がマッピングされないＯＦＤＭシンボルにマッピングされる。基地局装置は、複数のＭＴＣ−ＰＤＳＣＨを周波数多重、時間多重および／または空間多重することができる。ここで、ＭＴＣ−ＰＤＳＣＨの領域はＭＴＣＵＥ１対応の下りリンクシステム帯域幅以内のＰＤＳＣＨ領域と同じであるため、ＭＴＣ−ＰＤＳＣＨはＭＴＣＵＥ１対応の下りリンクシステム帯域幅以内のＰＤＳＣＨと同じ意味である。基地局装置では、２つの領域におけるＵＥ１とＭＴＣＵＥ１用リソースのマッピングは衝突がなく、適切にスケジューリングすることができる。
【００６９】
図４ａに示したように、ＭＴＣ−ＰＤＣＣＨのリソース領域（１１Ａ〜１１Ｃ）は、第２のスロットにおいて１つまたは複数の物理リソースブロックを有すること示したが、図４ｂに示したように、時間軸で第１のスロット及び／または第２のスロットを有し、また周波数軸で１つまたは複数の単位帯域幅（例えば６サブキャリア）を有することができる。
【００７０】
また、図４ａに示したように、ＭＴＣ−ＰＤＣＣＨのリソース領域（１１Ａ〜１１Ｃ）は、周波数軸において物理リソースブロック単位で連続的に（Localized）マッピングされていたが、図４ｂに示したように、物理リソースブロック単位または単位帯域幅（例えば６個のＯＦＤＭサブキャリア）で分散的に（Distributed）マッピングされることができる。
【００７１】
ここで、ＵＥ１は、予めにＰＣＦＩＣＨがマッピングされた位置を知っているのと同じように、ＭＴＣＵＥ１は、図４ａに示したＭＴＣ−ＰＣＦＩＣＨがＭＴＣＵＥ１対応の下りリンクシステム帯域の一端（例えば低い周波数端）に第２のスロット内の１番のＯＦＤＭシンボルにマッピングされていることを予め識別しておくことによって、ＭＴＣ−ＰＣＦＩＣＨがマッピングされる位置を知ることができる。
【００７２】
また、ＭＴＣ−ＰＣＦＩＣＨのマッピング位置は、図４ｂに示したように、ＭＴＣＵＥ１対応の下りリンクシステム帯域の一端（例えば高い周波数端）及び／またはサブフレーム（例えば第１のサブフレーム）の先頭から、予めに設定された周波数オフセット及び／または時間オフセットにより指定された位置からスタートすることができる。また、例えば、これらのオフセットは、基地局装置固有（Cell Special）のパラメータ（例えばＰＣＩなど）または移動局装置固有（UE Special）のパラメータ（例えば端末製造番号、個体識別番号、ユーザ番号など）から算出することができる。
【００７３】
（移動局装置のサーチスペースについて）
図５は、本発明の第１の実施形態に関わる移動局装置のサーチスペースの一例を示す図である。図５に示すように、ＵＥ１対応のＰＤＣＣＨのリソースのリソース領域には、共通サーチスペース（Common Search Space: CSS）と移動局装置の固有サーチスペース(UE specific Search Space: USS)が構成される。すなわち、複数のＵＥ１であるＵＥ１Ａ〜１Ｃに対して共通のサーチスペースであるＣＳＳが定義（配置、設定）される。また、ある特定のＵＥ１であるＵＥ１Ａに対して固有のサーチスペースであるＵＳＳが定義される。ここで、ＣＳＳとＵＳＳは、基地局装置がＰＤＣＣＨの送信に用いることができるリソースのセットである。
【００７４】
ここで、ＣＳＳは、複数のＵＥ１に対して共通のリソースによって定義される。また、ＵＳＳは、ＵＥ１のそれぞれに対して独立に定義される。基地局装置は、ＣＳＳにおいて、複数のＵＥ１を対象とするＤＣＩフォーマットおよび／または特定のＵＥ１を対象とするＤＣＩフォーマットを送信する。例えば、複数のＵＥ１とするＤＣＩフォーマットは、ＳＩＢのスケジューリングに用いられるＤＣＩフォーマット、またはＰＲＡＣＨレスポンスのスケジューリングに用いられるＤＣＩフォーマットである。基地局装置は、ＵＳＳにおいて、特定のＵＥ１を対象とするＤＣＩフォーマットを送信する。
【００７５】
図５において、ＵＥ１は、ＣＳＳにおいてＰＤＣＣＨをモニタする（ＰＤＣＣＨのデコードを試みる）。また、ＵＥ１は、ＵＳＳにおいてＰＤＣＣＨをモニタする。すなわち、ＵＥ１は、自装置宛のＰＤＣＣＨ候補のセットをモニタする。ここで、モニタとは、モニタされる全てのＤＣＩフォーマットに応じて、ＰＤＣＣＨ候補のセット内のＰＤＣＣＨのそれぞれの復号を、ＵＥ１が試みるということを意味する（ブラインドデコーディングとも呼称される）。ここで、例えば、下りリンク制御情報の送信（ＰＤＣＣＨでの送信）には、ＲＮＴＩ（Radio Network Temporary Identifier）が用いられる。具体的には、下りリンク制御情報（ＤＣＩフォーマットでも良い）に基づいて生成されたＣＲＣパリティビット（単に、ＣＲＣとも呼称する）が下りリンク制御情報に付加され、付加された後に、ＣＲＣパリティビットがＲＮＴＩでスクランブルされる。例えば、ＣＲＣパリティビットとＣ−ＲＮＴＩは、１６ビットで表される。移動局装置は、ＲＮＴＩでスクランブルされたＣＲＣパリティビットを伴う下りリンク制御情報をデコードする。すなわち、移動局装置は、ＲＮＴＩでスクランブルされたＣＲＣパリティビットを伴うＰＤＣＣＨをデコードする。ここで、例えば、ＲＮＴＩには、ＲＡ−ＲＮＴＩ、Ｔｅｍｐｏｒａｒｙ  Ｃ−ＲＮＴＩ、Ｃ−ＲＮＴＩが含まれる。
【００７６】
また、ＭＴＣＵＥ１対応のＭＴＣ−ＰＤＣＣＨ（４）のリソース領域には、ＭＴＣＵＥ１対応の共通サーチスペース（５）（MTC Common Search Space: MTC-CSS）とＭＴＣＵＥ１対応の固有サーチスペース（６）(MTC UE specific Search Space: MTC-USS)とが構成される。すなわち、複数のＭＴＣＵＥ１であるＭＴＣＵＥ１Ａ〜１Ｃに対して共通のサーチスペースであるＭＴＣ−ＣＳＳ（５）が定義される。また、ある特定のＭＴＣＵＥ１であるＭＴＣＵＥ１Ａに対して固有のサーチスペースであるＭＴＣ−ＵＳＳ（６）が定義される。ここで、ＭＴＣ−ＣＳＳ（５）とＭＴＣ−ＵＳＳ（６）は、基地局装置がＭＴＣ−ＰＤＣＣＨ（４）の送信に用いることができるリソースのセットである。図５において、ＭＴＣＵＥ１は、ＭＴＣ−ＣＳＳ（５）においてＭＴＣ−ＰＤＣＣＨ（４）をモニタする。また、ＭＴＣＵＥ１は、ＭＴＣ−ＵＳＳ（６）においてＭＴＣ−ＰＤＣＣＨ（４）をモニタする。
【００７７】
ここで、ＭＴＣ−ＣＳＳ（５）は、複数のＭＴＣＵＥ１に対して共通のリソースによって定義される。また、ＭＴＣ−ＵＳＳ（６）は、ＭＴＣＵＥ１のそれぞれに対して独立に定義される。基地局装置は、ＭＴＣ−ＣＳＳ（５）において、複数のＭＴＣＵＥ１を対象とするＤＣＩフォーマットおよび／または特定のＭＴＣＵＥ１を対象とするＤＣＩフォーマットを送信する。例えば、複数のＭＴＣＵＥ１とするＤＣＩフォーマットには、ＳＩＢのスケジューリングに用いられるＤＣＩフォーマット、またはＭＴＣ−ＰＲＡＣＨ（１０）レスポンスのスケジューリングに用いられるＤＣＩフォーマットが含まれる。例えば、基地局装置は、ＭＴＣ−ＵＳＳ（６）において、特定のＭＴＣＵＥ１を対象とするＤＣＩフォーマットを送信する。
【００７８】
ここで、図５に示すように、ＭＴＣ−ＣＳＳ（５）は、下りリンク帯域の中央（下りリンクセルの中央）に定義されても良い。例えば、ＭＴＣ−ＣＳＳ（５）は、下りリンク帯域の中央の予め規定された数のサブキャリア内（例えば、７２サブキャリア内や３００サブキャリア内）に定義されても良い。例えば、ＭＴＣ−ＣＳＳ（５）は、下りリンク帯域の中央の予め規定された数のリソースブロック内（例えば、６リソースブロック内や２５リソースブロック内）に定義されても良い。ここで、下りリンク帯域の中央の予め規定された数のサブキャリア、または下りリンク帯域の中央の予め規定された数のリソースブロックは、ＭＴＣＵＥ１によってサポートされる下りリンク帯域幅に基づく。すなわち、例えば、ＭＴＣ−ＣＳＳ（５）は、下りリンク帯域の中央の一部に定義される。また、例えば、ＭＴＣ−ＣＳＳ（５）は、サーチスペース（サーチスペースの位置）を特定するために使用される算出式によって定義されても良い。例えば、ＭＴＣ−ＣＳＳ（５）は、算出式に含まれる複数のパラメータのうちのいずれかのパラメータの値を固定値（例えば、０）にセットすることによって定義されても良い。すなわち、ＭＴＣ−ＣＳＳ（５）が、下りリンク帯域にどのように定義されるのかは、仕様などによって予め規定され、基地局装置とＭＴＣＵＥ１の間で既知としておくことができる。こうすることによって、ＭＴＣＵＥ１は、基地局装置における下りリンク帯域の中央に配置されたＭＴＣ−ＣＳＳ（５）においてＭＴＣ−ＰＤＣＣＨ（４）をモニタすることができる。
【００７９】
また、ＭＴＣ−ＣＳＳ（５）は、基地局装置によって設定されるリソース領域内に定義されても良い。例えば、基地局装置は、上位層の信号を使用して、ＭＴＣ−ＣＳＳ（５）が配置されるリソース領域を移動局装置に対して設定することができる。例えば、ＭＴＣＵＥ１は、初期接続の際には、下りリンク帯域の中央に予め規定されたＭＴＣ−ＣＳＳ（５）においてＭＴＣ−ＰＤＣＣＨ（４）をモニタすることができる。また、例えば、ＭＴＣＵＥ１は、初期接続の後には、基地局装置によって設定されたＭＴＣ−ＣＳＳ（５）においてＭＴＣ−ＰＤＣＣＨ（４）をモニタすることができる。ここで、例えば、ＭＴＣＵＥ１は、初期接続の後に、下りリンク帯域の中央に予め規定されたＭＴＣ−ＣＳＳ（５）においてＭＴＣ−ＰＤＣＣＨ（４）をモニタしても良い。
【００８０】
また、図５に示すように、ＭＴＣ−ＵＳＳ（６）は、下りリンク帯域の中央（下りリンクセルの中央）に定義されても良い。例えば、ＭＴＣ−ＵＳＳ（６）は、下りリンク帯域の中央の予め規定された数のサブキャリア内（例えば、７２サブキャリア内や３００サブキャリア内）に定義されても良い。例えば、ＭＴＣ−ＵＳＳ（６）は、下りリンク帯域の中央の予め規定された数のリソースブロック内（例えば、６リソースブロック内や２５リソースブロック内）に定義されても良い。すなわち、例えば、ＭＴＣ−ＵＳＳ（６）は、下りリンク帯域の中央の一部に定義される。また、例えば、ＭＴＣ−ＵＳＳ（６）は、サーチスペース（サーチスペースの位置）を特定するために使用される算出式によって定義されても良い。
【００８１】
また、ＭＴＣ−ＵＳＳ（６）は、基地局装置によって設定されるリソース領域内に定義されても良い。例えば、基地局装置は、上位層の信号を使用して、ＭＴＣ−ＣＳＳ（５）が配置されるリソース領域を移動局装置に対して設定することができる。例えば、ＭＴＣＵＥ１は、初期接続の際には、下りリンク帯域の中央に予め規定されたＭＴＣ−ＵＳＳ（６）においてＭＴＣ−ＰＤＣＣＨ（４）をモニタすることができる。また、例えば、ＭＴＣＵＥ１は、初期接続の後には、基地局装置によって設定されたＭＴＣ−ＵＳＳ（６）においてＭＴＣ−ＰＤＣＣＨ（４）をモニタすることができる。ここで、例えば、ＭＴＣＵＥ１は、初期接続の後に、下りリンク帯域の中央に予め規定されたＭＴＣ−ＵＳＳ（６）においてＭＴＣ−ＰＤＣＣＨ（４）をモニタしても良い。
【００８２】
図６は、本発明の第１の実施形態に関わるＰＤＣＣＨのリソース領域内またはＭＴＣ−ＰＤＣＣＨ（４）のリソース領域内のサーチスペースの構成を示す図である。ＰＤＣＣＨのリソース領域内またはＭＴＣ−ＰＤＣＣＨ（４）のリソース領域内には、アグリゲーションレベル４のＣＳＳまたはＭＴＣ−ＣＳＳ（５）と、アグリゲーションレベル８のＣＳＳまたはＭＴＣ−ＣＳＳ（５）と、アグリゲーションレベル１のＵＳＳまたはＭＴＣ−ＵＳＳ（６）と、アグリゲーションレベル２のＵＳＳまたはＭＴＣ−ＵＳＳ（６）と、アグリゲーションレベル４のＵＳＳまたはＭＴＣ−ＵＳＳ（６）と、アグリゲーションレベル８のＵＳＳまたはＭＴＣ−ＵＳＳ（６）が構成される。ＣＳＳまたはＭＴＣ−ＣＳＳ（５）は、予め定められた番号の制御チャネル要素から構成される。
【００８３】
すなわち、例えば、ＭＴＣ−ＰＤＣＣＨ（４）のリソース領域内に、ＭＴＣ−ＣＳＳ（５）とＭＴＣ−ＵＳＳ（６）がそれぞれ定義されても良い。また、例えば、ＭＴＣ−ＣＳＳ（５）におけるアグリゲーションレベル（４、８）は、ＭＴＣ−ＵＳＳ（６）におけるアグリゲーションレベル（１、２、４、８）よりも、少ないアグリゲーションレベルに制限されても良い。
【００８４】
図６において、例えば、アグリゲーションレベル４のＣＳＳまたはＭＴＣ−ＣＳＳ（５）と、アグリゲーションレベル８のＣＳＳまたはＭＴＣ−ＣＳＳ（５）は０から１５までの制御チャネル要素から構成される。また、ＵＳＳまたはＭＴＣ−ＵＳＳ（６）を構成する制御チャネル要素は、ＵＥ１またはＭＴＣＵＥ１が基地局装置によって割当てられた無線ネットワーク一時識別子（Radio Network Temporary Identifier: RNTI）、アグリゲーションレベルおよび無線フレーム内のスロットの番号などに基づいて決定される。ここで、基地局装置は、初期アクセスの際には、一時セル無線ネットワーク一時識別子（Temporary Cell-Radio Network Temporary Identifier: Temporary C-RNTI）をランダムアクセスレスポンスに含めてＵＥ１またはＭＴＣＵＥ１に送信する。また、基地局装置は、初期アクセス後には、ＵＥ１またはＭＴＣＵＥ１のセル無線ネットワーク別子（Cell-Radio Network Temporary Identifier: C-RNTI）を再設定してもよい。
【００８５】
（ＳＩＢリソースのマッピングについて）
図７は、本発明の第１の実施形態に関わるＳＩＢリソースのマッピングの一例を示す図である。図７に示すように、ＵＥ１対応のＳＩＢには、システムインフォメーションブロック１（７）であるＳＩＢ１（７Ａ〜７Ｃ）、及びシステムインフォメーションブロック２〜１３であるＳＩＢ２〜１３の１３個のシステムインフォメーションブロックが含まれている。また、ＭＴＣＵＥ１対応のＳＩＢには、ＳＩＢ１（７）、及びＭＴＣＵＥ１対応のシステムインフォメーションブロック２〜１３（８）であるＭＴＣ−ＳＩＢ２〜１３（８Ａ〜８Ｃ）の１３個のシステムインフォメーションブロックが含まれている。ここで、ＳＩＢ１（７）は、周波数リソースでは可変で、ＭＴＣＵＥ１対応下りリンクシステム帯域幅（例えば５ＭＨｚ）以内のＰＤＳＣＨ、またはＭＴＣ−ＰＤＳＣＨのリソース領域に、時間リソースでは固定で、８０ｍｓの周期で送信される。また、ＳＩＢ１（７）は２０ｍｓ間隔で再送信される。また、ＳＦＮが８の倍数のフレームの５番目のサブフレーム領域に送信される。
【００８６】
ここで、ＳＩＢ２〜１３は、ＵＥ１対応のシステムインフォメーションブロックであり、ＰＤＳＣＨに周波数リソース、時間リソース共に可変でマッピング（スケジューリング）される。また、ＭＴＣ−ＳＩＢ２〜１３（８）は、ＭＴＣＵＥ１対応のシステムインフォメーションブロックであり、ＭＴＣ−ＰＤＳＣＨのリソース領域に周波数リソース、時間リソース共に可変でマッピング（スケジューリング）される。
【００８７】
さらに、ＳＩＢ１（７）はオペレータ識別子など識別情報、ＳＩＢ２〜１３およびＭＴＣ−ＳＩＢ２〜１３（８）リソースの繰り返し送信を行う期間（System Information Window: SIW）の情報などが含まれている。ここで、ＳＩＢ２〜１３およびＭＴＣ−ＳＩＢ２〜１３（８）のＳＩＷは、共通的に使用されてもよい。また、ＳＩＢ２〜１３はリソースのスケジューリング情報、ハンドオーバー情報などが含まれる。特に、ＳＩＢ２には、ＵＥ１に対するＰＲＡＣＨ用のリソースのスケジューリング情報、ＭＴＣ−ＳＩＢ２には、ＭＴＣＵＥ１に対するＭＴＣ−ＰＲＡＣ用のリソースのスケジューリング情報など、共通／共用チャネルの情報が含まれている。
【００８８】
（上りリンクの無線フレーム構成について）
図８は、本発明の第１の実施形態に関わる上りリンクの無線フレームの構成を示す図である。時間リソースとして、無線フレームの長さは１０ｍｓで、１０個のサブフレームで構成されている。サブフレームの長さは１ｍｓで、２つのスロットで構成されている。スロットの長さは０．５ｍｓで、７個のＳＣ―ＦＤＭＡシンボルで構成されている。周波数リソースとして、上りリンクシステム帯域幅は複数のＳＣ―ＦＤＭＡサブキャリアで構成されている。１つのサブキャリアの周波数帯域幅は１５ｋＨｚであり、サブキャリア数は下りリンクシステム帯域幅に依存する。無線リソースの最小単位であるリソースエレメントは、１つのサブキャリアと１つのＳＣ―ＦＤＭＡシンボルにより構成されている。リソースエレメントは、サブキャリア番号とＳＣ―ＦＤＭＡシンボル番号を用いて識別する。
【００８９】
１つの物理リソースブロックは、時間領域において７個の連続するＳＣ―ＦＤＭＡシンボルと周波数領域において１２個の連続するサブキャリアとから定義される。ゆえに、１つの物理リソースブロックは（７×１２）個のリソースエレメントから構成される。また、１つの物理リソースブロックは、時間領域において１つのスロットに対応し、周波数領域において１８０ｋＨｚに対応する。物理リソースブロックは周波数領域において０から番号が付けられる。
【００９０】
（物理上りリンクチャネルのマッピングについて）
図８は、本発明の第１の実施形態に関わるＵＥ１に対応する物理上りリンクチャネルのマッピングの一例を示す図である。図８に示すように、例えば、ＰＵＣＣＨは、システム周波数帯域幅の両端から複数の物理リソースブロックでマッピングされる。ＵＬＲＳは、３番のＳＣ―ＦＤＭＡシンボルにマッピングされる。ＰＵＳＣＨは、ＰＵＣＣＨとＵＬＲＳのリソースエレメントを避けてマッピングされる。基地局装置は、複数のＰＵＳＣＨを周波数多重、時間多重および／または空間多重することができる。
【００９１】
図９は、本発明の第１の実施形態に関わるＭＴＵＥ1に対応する物理上りリンクチャネルのマッピングの一例を示す図である。図９に示すように、例えば、ＭＴＣＵＥ１対応のリソースエレメントは、基地局装置の上りリンクシステム帯域幅（例えば２０ＭＨｚ）の一端（例えば高い周波数端）から、ＭＴＣＵＥ１対応の上りリンクシステム帯域幅（例えば５ＭＨｚ）以内に配置される。ここで、ＭＴＣＵＥ１対応の上りリンクシステム帯域幅は、基地局装置の上りリンクシステム帯域幅（例えば２０ＭＨｚ）より狭く、例えば１．４ＭＨｚ、３ＭＨｚ、５ＭＨｚ、１０ＭＨｚ、１５ＭＨｚなどを持つことができる。
【００９２】
図９に示すように、ＭＴＣ−ＰＵＣＣＨ（９）は、基地局装置における上りリンク帯域の一端（例えば高い周波数端）から複数の物理リソースブロックでマッピングされる。すなわち、ＭＴＣ−ＰＵＣＣＨ（９）は、基地局装置における上りリンク帯域の一端（例えば高い周波数端のみ）のみに配置される。ここで、ＭＴＣ−ＰＵＣＣＨ（９）が、基地局装置の上りリンクシステム帯域幅にどのようにマッピングされるかは、予め仕様などによって規定されても良い。また、ＭＴＣ−ＰＵＣＣＨ（９）が、基地局装置の上りリンクシステム帯域幅にどのようにマッピングされるかは、基地局装置によって設定されても良い。ＭＴＣＵＥ１は、ＭＴＣ−ＰＵＣＣＨ（９）を用いて、上りリンク制御情報を送信することができる。ここで、例えば、ＭＴＣ−ＰＵＣＣＨ（９）は、ＰＵＣＣＨと符号分割で多重される。また、例えば、３番のＳＣ―ＦＤＭＡシンボルにおいて、ＭＴＣＵＥ１対応の下りリンクシステム帯域幅（例えば５ＭＨｚ）以内にＭＴＣ−ＵＬＲＳがマッピングされる。また、ＭＴＣ−ＰＵＳＣＨは、ＭＴＣ−ＰＵＣＣＨ（９）とＭＴＣ−ＵＬＲＳのリソースエレメントを避けてマッピングされる。基地局装置は、複数のＭＴＣ−ＰＵＳＣＨを周波数多重、時間多重および／または空間多重することができる。
【００９３】
ここで、ＭＴＣ−ＰＵＳＣＨのリソース領域はＭＴＣＵＥ１対応の上りリンクシステム帯域幅以内のＰＵＳＣＨのリソース領域と同じであるため、ＭＴＣ−ＰＵＳＣＨはＭＴＣＵＥ１対応の上りリンクシステム帯域幅以内のＰＵＳＣＨと同じ意味である。基地局装置では、２つのリソース領域におけるＵＥ１とＭＴＣＵＥ１用リソースのマッピングは衝突がなく、適切にマッピング（スケジューリング）することができる。
【００９４】
（ＰＲＡＣＨ用リソースのマッピングについて）
図１０は、本発明の第１の実施形態に関わるＰＲＡＣＨ用リソースのマッピング（スケジューリング）の一例を示す図である。ここで、ＰＲＡＣＨのリソースは、基地局装置によって送信されるＳＩＢ２によって、ＰＵＳＣＨのリソース領域に定期的にスケジューリングされる。また、例えば、ＰＲＡＣＨのリソースは、６個分のリソースブロックと１つのサブフレームで構成される。ここで、ＰＲＡＣＨの使用目的は、上りリンクにおいてＵＥ１と基地局装置との間を同期させることを目的としている。
【００９５】
ここで、ＭＴＣＵＥ１対応のＰＲＡＣＨ用リソースであるＭＴＣ−ＰＲＡＣＨ（１０）のリソース（１０Ａ〜１０Ｃ）は、基地局装置によって送信されるＭＴＣ−ＳＩＢ２によって、ＭＴＣ−ＰＵＳＣＨのリソース領域に定期的にスケジューリングされる。また、例えば、ＭＴＣ−ＰＲＡＣＨ（１０）のリソースは、６個分のリソースブロックと１つのサブフレームで構成される。ここで、ＭＴＣ−ＰＲＡＣＨ（１０）の使用目的は、上りリンクにおいてＭＴＣＵＥ１と基地局装置との間を同期させることを目的としている。
【００９６】
図１０に示すように、基地局装置は、ＰＲＡＣＨのリソースがＰＵＳＣＨのリソース領域に、ＭＴＣ−ＰＲＡＣＨ（１０）のリソース（１０Ａ〜１０Ｃ）がＭＴＣ−ＰＵＳＣＨのリソース領域にスケジューリングする。すなわち、ＭＴＣ−ＰＵＳＣＨのリソース領域がＰＵＳＣＨのリソース領域の一部と重なっているため、基地局装置はＰＲＡＣＨのリソース領域とＭＴＣ−ＰＲＡＣＨ（１０）のリソース領域（１０Ａ〜１０Ｃ）と重ならないようにスケジュールングすることができる。また、図１０に示すように、基地局装置の汎用性を考慮して、基地局装置はＰＲＡＣＨのリソース領域とＭＴＣ−ＰＲＡＣＨ（１０）のリソース領域（１０Ｃ）と重なるようにスケジュールングすることもできる。
【００９７】
ここで、基地局装置は、移動局装置に指示したＰＲＡＣＨのリソース及びＭＴＣ−ＰＲＡＣＨ（１０）のリソース領域（１０Ａ〜１０Ｃ）の位置情報を予めに記憶することができる。また基地局装置の汎用性を考慮して、基地局装置は、移動局装置に指示したＰＲＡＣＨのリソース及びＭＴＣ−ＰＲＡＣＨ（１０）のリソース領域（１０Ａ〜１０Ｃ）の位置情報を予めに記憶しないこともできる。
【００９８】
（移動局の無線アクセス手順について）
移動局装置は、電源立ち上げまたはハンドオーバーにより基地局装置と接続する場合、移動局装置アダッチ手順（UE attach procedure）、移動局装置スタートアップ手順（UE startup procedure）、ＲＲＣ接続確立手順（RRC connection establishment）など移動局装置の接続手順に従って、基地局装置と接続を行い、接続手順が完了後、移動局装置の発呼、着呼が可能となり、待ち受けモード（RRC idle mode: RRC_IDLE）または無線接続モード（RRC connected mode: RRC_CONNECTED）に遷移することができる。
【００９９】
ここで、移動局装置は、待ち受けモードまたは無線接続モードに遷移するために、基地局装置に同期するセルサーチ、基地局装置からシステムインフォメーション（例えば、ＭＩＢとＳＩＢ）の獲得、および基地局装置へのランダムアクセスを行う。以下、移動局装置におけるシステムインフォメーション獲得の手順、ランダムアクセス手順について記載する。
【０１００】
（システムインフォメーション獲得の手順について）
図１１は、本発明の第１の実施形態に関わる移動局装置のシステムインフォメーション獲得手順の一例を示す図である。以下は各手順（ステップＳ１１〜１８）について説明する。
【０１０１】
（図１１のステップＳ１１について）
移動局装置はセルサーチを行う。移動局装置は、電源立ち上げ時、ハンドオーバー時、あるいは待ち受けモード時において、無線リンクを接続すべきセルを探すセルサーチを行う。移動局装置は、受信した複数のＳＳ受信信号に対して、時間領域における相関処理により最大電力のＳＳ、例えば図１に示した基地局装置に対応したキャリア周波数オフセット、ＯＦＤＭシンボルタイミングの検出を行い、検出結果によりキャリア周波数オフセットおよびＯＦＤＭシンボルタイミング補正を行ない、ＰＣＩを同定する。セルサーチ完了の場合、移動局装置は、特定の基地局装置、例えば図１に示した基地局装置の下りリンクＯＦＤＭ信号を復調することができる。図３に示したように、ＵＥ1の受信帯域幅である下りリンクシステム帯域幅(例えば２０ＭＨｚ)、及びＭＴＣＵＥ１の受信帯域幅であるＭＴＣＵＥ１対応下りリンクシステム帯域幅(例えば５ＭＨｚ)は、ＳＳの帯域幅をカバーしているため、ＳＳ信号が受信できる。
【０１０２】
（図１１のステップＳ１２について）
移動局装置はＭＩＢ情報を取得する。移動局装置は、図２，３、６に示したようなＰＢＣＨマッピング構成において、基地局装置からＰＢＣＨを受信し、ＭＩＢ情報を復調し、ＭＩＢ情報から基地局装置のシステム帯域幅、ＳＦＮ、ＳＩＢ１（７）の受信方法などの情報を取得する。図３に示したように、ＵＥ１の受信帯域幅である下りリンクシステム帯域幅(例えば２０ＭＨｚ)、及びＭＴＣＵＥ１の受信帯域幅であるＭＴＣＵＥ１対応下りリンクシステム帯域幅(例えば５ＭＨｚ)は、ＰＢＣＨの帯域幅をカバーしているため、ＰＢＣＨ信号が受信できる。
【０１０３】
（図１１のステップＳ１３について）
移動局装置はＳＩＢ１（７）情報を取得する。移動局装置は、取得したＭＩＢ情報から、基地局装置の下りリンクシステム帯域幅（例えば２０ＭＨｚ）、ＳＩＢ１（７）の受信方法およびＳＦＮの情報により、図７に示したＭＴＣＵＥ１対応の下りリンクシステム帯域幅（例えば５ＭＨｚ）以内のＳＩＢ１（７）のリソースマッピング位置を算出し、ＳＩＢ１（７）情報を取得する。図７に示したように、ＵＥ１とＭＴＣＵＥ１の混在に対応できる基地局装置は、従来のＵＥ１対応の基地局装置と異なり、予めにＳＩＢ１（７）の領域はＭＴＣＵＥ１対応の下りリンクシステム帯域幅（例えば５ＭＨｚ）以内にスケジューリングする。ＵＥ1の受信帯域幅である下りリンクシステム帯域幅(例えば２０ＭＨｚ)、及びＭＴＣＵＥ１の受信帯域幅であるＭＴＣＵＥ１対応下りリンクシステム帯域幅(例えば５ＭＨｚ)は、ＳＩＢ１（７）の帯域幅をカバーしているため、ＳＩＢ１（７）が受信できる。
【０１０４】
（図１１のステップＳ１４について）
移動局装置はＵＥ１またはＭＴＣＵＥ１を判断する。移動局装置は、内蔵の移動局装置能力情報などからＵＥ１かＭＴＣＵＥ１を判断し、処理手順を切り替える。すなわち、ＭＴＣＵＥ１であればステップＳ１７（Ｙｅｓ）へ、ＵＥ１であればステップＳ１５（Ｎｏ）へ遷移する。ここで、単一能力の移動局装置であれば、本ステップが不要であり、該当ステップをパスして、ＵＥ１とＭＴＣＵＥ１のそれぞれのステップに進む。
【０１０５】
（図１１のステップＳ１５について）
ＵＥ１はＣＳＳを受信する（ＣＳＳにおいてＰＤＣＣＨをデコードする）。ここで、ＵＥ１の場合、ＵＥ１は基地局装置から送信されたＵＥ１対応の下りリンクシステム帯域幅（例えば２０ＭＨｚ）の無線フレーム信号を受信し、ステップＳ１１のセルサーチを経て、得られた無線フレーム/サブフレーム/スロット/ＯＦＤＭシンポルなどタイミング情報、ステップＳ１２のＰＢＣＨ受信を経て、得られた基地局装置のシステム帯域幅、ＳＦＮなどの情報を用いて、図２に示したＰＤＣＣＨの０番のＯＦＤＭシンボルにあるＰＣＦＩＣＨ、ＰＨＩＣＨを復調し、後続のＰＤＣＣＨの１番、２番のＯＦＤＭシンボルを復調することができる。
【０１０６】
（図１１のステップＳ１６について）
ＵＥ１はＳＩＢ２〜１３を受信する。すなわち、ＵＥ１はＰＤＣＣＨ情報の復調により、図５に示したＵＥ１対応の ＣＳＳとＵＳＳリソースマッピング位置を算出し、ＣＳＳのＤＣＩフォーマットを検出する。ＵＥ１はＳＩＢのスケジューリングに用いられるＤＣＩフォーマットが検出された場合、ＳＩＢ２〜１３のスケジューリング情報を取得し、図７に示したＳＩＢ２〜１３の情報を受信する。
【０１０７】
（図１１のステップＳ１７について）
ＭＴＣＵＥ１はＭＴＣ−ＣＳＳ（５）を受信する（ＭＴＣ−ＣＳＳ（５）においてＰＤＣＣＨをデコードする）。すなわち、ＭＴＣＵＥ１の場合、ＭＴＣＵＥ１は基地局装置から送信されたＭＴＣＵＥ１対応の下りリンクシステム帯域幅（例えば５ＭＨｚ）の無線フレーム信号を受信し、ステップＳ１１のセルサーチを経て、得られた無線フレーム/サブフレーム/スロット/ＯＦＤＭシンポルなどタイミング情報、ステップＳ１２のＰＢＣＨ受信を経て、得られた基地局装置のシステム帯域幅、ＳＦＮなどの情報を用いて、図３に示したＭＴＣ−ＰＤＣＣＨ（４）の６番のＯＦＤＭシンボルにあるＭＴＣ−ＰＣＦＩＣＨ、ＭＴＣ−ＰＨＩＣＨを復調し、前続のＭＴＣ−ＰＤＣＣＨ（４）の５番、４番のＯＦＤＭシンボルを復調することができる。または、図４ａに示したＭＴＣ−ＰＤＣＣＨ（１１Ａ〜１１Ｃ）の第２のスロット内の１番のＯＦＤＭシンボルからＭＴＣ−ＰＣＦＩＣＨ、ＭＴＣ−ＰＨＩＣＨを復調し、続いてＭＴＣ−ＰＤＣＣＨ（１１Ａ〜１１Ｃ）を復調することができる。
【０１０８】
（図１１のステップＳ１８について）
ＭＴＣＵＥ１はＭＴＣ−ＳＩＢ２〜１３（８）のうち、必要なＭＴＣ−ＳＩＢを受信する。ＭＴＣＵＥ１はＭＴＣ−ＰＤＣＣＨ（４）情報の復調により、図５に示したＭＴＣＵＥ１対応の ＭＴＣ−ＣＳＳ（５）とＭＴＣ−ＵＳＳ（６）リソースマッピング位置を算出し、ＭＴＣ−ＣＳＳ（５）のＤＣＩフォーマットを検出する。ＭＴＣＵＥ１はＭＴＣ−ＳＩＢのスケジューリングに用いられるＤＣＩフォーマットが検出された場合、ＭＴＣ−ＳＩＢ２〜１３（８）のスケジューリング情報を取得し、図７に示したＭＴＣ−ＳＩＢ２〜１３（８）のうち、必要なＭＴＣ−ＳＩＢの情報を受信する。
【０１０９】
（ランダムアクセス手順について）
移動局装置のランダムアクセス手順には、Contention based Random AccessとNon-contention based Random Accessの２つのアクセス手順がある。ここで、Contention based Random Accessは、移動局装置間で衝突する可能性のあるランダムアクセスであり、通常行なわれるランダムアクセスである。また、Non-contention based Random Accessは、移動局装置間で衝突が発生しないランダムアクセスであり、迅速に移動局装置と基地局装置との間の同期をとるためにハンドオーバー等の特別な場合に基地局装置から指示されて行なわれる。
【０１１０】
移動局装置が、ランダムアクセスを行う場合、ランダムプリアンブルのみを送信する。ランダムアクセスプリアンブルは、プリアンブル部とＣＰ（Cyclic prefix）部から構成される。プリアンブル部には、情報を表す信号パターンであるＲＡＣＨシーケンス、例えばＣＡＺＡＣ（Constant Amplitude Zero Auto-Correlation Zone Code）シーケンスを用いられ、６４種類のシーケンス（シーケンス番号１〜６４）が、６ビットの情報によって表現される。
【０１１１】
図１２ａは、本発明の第１の実施形態に関わるＲＡＣＨシーケンスグループの例を示す図である。６４個のシーケンスは、用途により３つのＲＡＣＨシーケンスグループに分けられる。グループＡとグループＢのシーケンスは、移動局装置自身がシーケンスを選択してランダムアクセスを行なう場合に選択される。グループＡのＲＡＣＨシーケンスは、移動局装置と基地局装置との間のパスロスが大きい（無線伝搬路品質が悪い）、または、メッセージ３の送信データの容量が小さい場合に移動局装置に選択される。グループＢのＲＡＣＨシーケンスは、移動局装置と基地局装置との間のパスロスが小さく（無線伝搬路品質が良い）、更にメッセージ３の送信データの容量が大きい場合に移動局装置に選択される。グループＣのＲＡＣＨシーケンスは、Non-contention based Random Access手順を使用する場合に基地局装置から移動局装置に通知される。尚、各グループのＲＡＣＨシーケンス数は可変であり、各グループのＲＡＣＨシーケンス数に関するシーケンス情報は、基地局装置から報知される。移動局装置はグループＡ、ＢのＲＡＣＨシーケンスを使用して、Contention based Random Accessを行い、グループＣのＲＡＣＨシーケンスを使用して、Non-contention based Random Accessを行うことができる。
【０１１２】
移動局装置はContention based Random Accessを行う場合、ＵＥ１はＰＲＡＣＨに関するシーケンス情報、ＭＴＣＵＥ１はＭＴＣ−ＰＲＡＣＨ（１０）に関するシーケンス情報を用いて、ランダムにＲＡＣＨシーケンスを選択し、ランダムアクセスプリアンブルを送信する。以降ＰＲＡＣＨに関するシーケンス情報をＲＡＣＨのシーケンス情報、ＭＴＣ−ＲＡＣＨ（１０）に関するシーケンス情報をＭＴＣ−ＲＡＣＨ（１０）のシーケンス情報と称する。また、ＲＡＣＨのシーケンス情報は、ＵＥ１対応のランダムアクセスプリアンブル情報と、ＭＴＣ−ＰＲＡＣＨ（１０）のシーケンス情報は、ＭＴＣＵＥ１対応のランダムアクセスプリアンブル情報と称しても良い。
【０１１３】
ここで、図１２ｂに示したＲＡＣＨシーケンスグループＡ、Ｂ、Ｃの下に、新たにＲＡＣＨシーケンスグループＤを追加して（各ＲＡＣＨシーケンスグループに対応したシーケンス番号を再定義する）、ＲＡＣＨシーケンスグループＤにＭＴＣＵＥ１のみによって使用される専用のＲＡＣＨシーケンスが定義されても良い。すなわち、ＲＡＣＨシーケンスグループＤに、ＭＴＣ−ＰＲＡＣＨ（１０）シーケンス情報が含まれても良い。
【０１１４】
図１３は、本発明の第１の実施形態に関わるにランダムアクセス（Contention based Random Access）手順の一例である。移動局装置は、図１１に示したシステムインフォメーション獲得手順（Ｓ１１〜Ｓ１８）を経て、ＳＩＢ２、またはＭＴＣ−ＳＩＢ２（８）情報を入手することができる。ＳＩＢ２には、基地局装置から通知されるＵＥ１対応のＰＲＡＣＨリソース領域（ＰＲＡＣＨのリソース領域）のスケジューリング情報とＲＡＣＨのシーケンス情報が含まれている。ＭＴＣ−ＳＩＢ２（８）には、基地局装置から通知されるＭＴＣＵＥ１対応のＭＴＣ−ＰＲＡＣＨリソース領域（ＭＴＣ−ＰＲＡＣＨのリソース領域）（１０Ａ〜１０Ｃ）のスケジューリング情報とＭＴＣ−ＲＡＣＨ（１０）のシーケンス情報が含まれている。ＭＴＣ−ＰＲＡＣＨリソース領域（１０Ａ〜１０Ｃ）のスケジューリング情報とＭＴＣ−ＲＡＣＨ（１０）のシーケンス情報を含めて、ＭＴＣ−ＰＲＡＣＨに関するリソースと称し、ＰＲＡＣＨリソース領域のスケジューリング情報とＲＡＣＨのシーケンス情報を含めて、ＰＲＡＣＨに関するリソースと称する。ＰＲＡＣＨに関するリソースとＭＴＣ−ＰＲＡＣＨに関するリソースとも、リソース領域（周波数、時間）とシーケンスの情報が含まれる。
【０１１５】
基地局装置は、ＰＲＡＣＨに関するリソースの情報を、ＳＩＢ２を使用して、ＭＴＣ−ＰＲＡＣＨに関するリソースの情報を、ＭＴＣ−ＳＩＢ２（８）を使用して移動局装置に通知する（割り当てる）。
【０１１６】
図１０に示すように、ＰＲＡＣＨリソース領域及びＭＴＣ−ＰＲＡＣＨリソース領域（１０Ａ〜１０Ｃ）のマッピング（割り当てる）は、ＭＴＣ−ＰＲＡＣＨリソース領域（１０Ａ、１０Ｂ）のようにＰＲＡＣＨリソース領域と重ならないでマッピングすることができる。または、ＭＴＣ−ＰＲＡＣＨリソース領域（１０Ｃ）のようにＰＲＡＣＨリソース領域と重なってマッピングすることができる。
【０１１７】
基地局装置は、移動局装置に通知したＰＲＡＣＨのリソース領域及びＭＴＣ−ＰＲＡＣＨ（１０）リソース領域（１０Ａ〜１０Ｃ）の位置情報（周波数、時間）を予めに記憶することができる。また基地局装置の汎用性を考慮して、基地局装置は、移動局装置に指示したＰＲＡＣＨのリソース領域及びＭＴＣ−ＰＲＡＣＨ（１０）リソース領域（１０Ａ〜１０Ｃ）の位置情報を予めに記憶しないこともできる。
【０１１８】
（図１３のステップＳ２１について）
移動局装置は、ランダムアクセスプリアンブルをメッセージ１として基地局装置に送信する。ＵＥ１の場合、ＵＥ１は、ＳＩＢ２からＰＲＡＣＨに関するリソースの情報を受信し、図１０に示したように基地局装置から通知されたＰＲＡＣＨのリソース領域に、ＲＡＣＨのシーケンス情報によりランダムに選択したＲＡＣＨシーケンスを用いて、基地局装置にＰＲＡＣＨのランダムアクセスプリアンブルを送信する。ＭＴＣＵＥ１の場合、ＭＴＣＵＥ１は、ＭＴＣ−ＳＩＢ２（８）からＭＴＣ−ＰＲＡＣＨに関するリソースの情報を受信し、図１０に示したように基地局装置から通知されたＭＴＣＵＥ１対応のＭＴＣ−ＰＲＡＣＨリソース領域（１０Ａ〜１０Ｃ）に、ＭＴＣ−ＲＡＣＨ（１０）のシーケンス情報によりランダムに選択したＲＡＣＨシーケンスを用いて、基地局装置にＭＴＣ−ＰＲＡＣＨ（１０）のランダムアクセスプリアンブルを送信する。すなわち、ＵＥ１は、基地局装置によって通知されたＰＲＡＣＨのリソース領域と選択したＲＡＣＨシーケンスを使用して、ランダムアクセスプリアンブルを基地局装置に送信することができる。また、ＭＴＣＵＥ１は、基地局装置によって通知されたＭＴＣ−ＰＲＡＣＨのリソース領域（１０Ａ〜１０Ｃ）と選択したＲＡＣＨシーケンスを使用して、ランダムアクセスプリアンブルを基地局装置に送信することができる。
【０１１９】
具体的に、ＵＥ１の場合、ＵＥ１は基地局装置から通知されたＰＲＡＣＨに関するリソースの情報を受信し、ＰＲＡＣＨに関するリソースの情報に含まれるＲＡＣＨのシーケンス情報を用いて、下りリンクのパスロスやメッセージ３（後述）のデータサイズに基づいて、図１２ａに示したシーケンスグループＡまたはＢを選択する。選択したシーケンスグループの中から１つのＣＡＺＡＣシーケンスをランダムに選択し、選択したＣＡＺＡＣシーケンスを元にランダムアクセスプリアンブルを生成して、ＰＲＡＣＨに関するリソースの情報に含まれるＰＲＡＣＨのリソース領域情報を用いて、ランダムアクセスチャネルＲＡＣＨでランダムアクセスプリアンブル（メッセージ１）を送信する。
【０１２０】
また、ＭＴＣＵＥ１の場合、ＭＴＣＵＥ１は基地局装置から通知されたＭＴＣ−ＰＲＡＣＨに関するリソースの情報を受信し、ＭＴＣ−ＰＲＡＣＨに関するリソースの情報に含まれるＭＴＣ−ＲＡＣＨのシーケンス情報を用いて、下りリンクのパスロスやメッセージ３のデータサイズに基づいて、シーケンスグループＡまたはＢを選択する。選択したシーケンスグループの中から１つのＣＡＺＡＣシーケンスをランダムに選択し、選択したＣＡＺＡＣシーケンスを元にランダムアクセスプリアンブルを生成して、ＭＴＣ−ＰＲＡＣＨに関するリソースの情報に含まれるＭＴＣ−ＰＲＡＣＨのリソース領域情報を用いて、ランダムアクセスチャネルＲＡＣＨでランダムアクセスプリアンブル（メッセージ１）を送信する。
【０１２１】
または、ＭＴＣＵＥ１の場合、ＭＴＣＵＥ１が基地局装置から通知されたＭＴＣ−ＰＲＡＣＨに関するリソースの情報を受信し、ＭＴＣ−ＰＲＡＣＨに関するリソースの情報に含まれるＭＴＣ−ＲＡＣＨのシーケンス情報を用いて、図１２ｂに示したシーケンスグループＤの中から１つのＣＡＺＡＣシーケンスをランダムに選択し、選択したＣＡＺＡＣシーケンスを元にランダムアクセスプリアンブルを生成して、ＭＴＣ−ＰＲＡＣＨに関するリソースの情報に含まれるＭＴＣ−ＰＲＡＣＨのリソース領域情報を用いて、ランダムアクセスチャネルＲＡＣＨでランダムアクセスプリアンブル（メッセージ１）を送信する。
【０１２２】
（図１３のステップＳ２２について）
基地局装置は、ランダムアクセスプリアンブル、すなわちメッセージ１を受信した場合、メッセージ１に対する応答としてランダムアクセスレスポンスをメッセージ２として移動局装置に送信するために、受信したメッセージ１がＵＥ１からの送信であるか否かを判断する。
【０１２３】
例えば、基地局装置は、移動局装置からのランダムアクセスプリアンブルのリソース領域がＰＲＡＣＨのリソース領域か否かを識別することによって、ＵＥ１からのメッセージ１か否かを判断する。具体的に、基地局装置は、図１０に示したようにＰＲＡＣＨのリソース領域にランダムアクセスプリアンブルが検出された場合、移動局装置に通知し、且つ予めに記憶しているＰＲＡＣＨのリソース領域の位置情報と比較して、同じリソース領域であるため、ＵＥ１からのランダムアクセスと判断し、ステップＳ２４（Ｙｅｓ）に移行する。一方、基地局装置は、移動局装置に通知し、且つ予めに記憶しているＰＲＡＣＨのリソース領域にランダムアクセスプリアンブルが検出されなかった場合、ステップＳ２３（Ｎｏ）に移行する。
【０１２４】
（図１３のステップＳ２３について）
基地局装置は、ランダムアクセスプリアンブル、すなわちメッセージ１を受信した場合、メッセージ１に対する応答としてランダムアクセスレスポンスをメッセージ２として移動局装置に送信するために、受信したメッセージ１がＭＴＣＵＥ１からの送信であるか否かを判断する。
【０１２５】
例えば、基地局装置は、移動局装置からのランダムアクセスプリアンブルのリソース領域がＭＴＣ−ＰＲＡＣＨのリソース領域（１０Ａ〜１０Ｃ）か否かを識別することによって、ＭＴＣＵＥ１からのメッセージ１か否かを判断する。具体的に、基地局装置は、図１０に示したようにＭＴＣ−ＰＲＡＣＨのリソース領域（１０Ａ）にランダムアクセスプリアンブルが検出された場合、移動局装置に通知し、且つ予めに記憶しているＭＴＣ−ＰＲＡＣＨのリソース領域（１０Ａ）の位置情報と比較して、同じリソース領域であるため、ＭＴＣＵＥ１からのランダムアクセスと判断し、ステップＳ２５（Ｙｅｓ）に移行し、移動局装置に通知する。ＲＡＣＨに関するリソースとＭＴＣ−ＲＡＣＨに関するリソースが同じで、受信したメッセージ１がＵＥ１からのメッセージ１か、ＭＴＣＵＥ１からのメッセージ１かの判断がつかない場合、ステップＳ２６（Ｎｏ）に移行する。
【０１２６】
（図１３のステップＳ２４について）
基地局装置は、ＵＥ１によって送信されたランダムアクセスプリアンブルを検出した場合、ランダムアクセスプリアンブルからＵＥ１と基地局装置との間の送信タイミングずれ量を算出し、ＰＵＳＣＨにおけるＬ２／Ｌ３メッセージ、すなわちメッセージ３を送信するためのリソーススケジューリング、例えば上りリンクの無線リソース位置、送信フォーマット（メッセージサイズ）などを指定し、Ｔｅｍｐｏｒａｒｙ  Ｃ−ＲＮＴＩ（Cell-Radio Network Temporary Identity：移動局装置識別情報）を割り当て、ＣＳＳにＰＲＡＣＨのランダムアクセスプリアンブルを送信したＵＥ１宛の応答（ランダムアクセスレスポンス）を示すＲＡ−ＲＮＴＩ（Random Access Network Temporary Identity：ランダムアクセス識別情報、ランダムアクセス識別子）を配置し、ＰＤＳＣＨに送信タイミングずれ情報、スケジューリング情報、Ｔｅｍｐｏｒａｒｙ  Ｃ−ＲＮＴＩおよび受信したプリアンブルのプリアンブル番号（シーケンス番号）を含んだランダムアクセスレスポンスメッセージを配置し、ＵＥ１メッセージ２を送信する。尚、例えば、ランダムアクセスレスポンスのスケジューリングに用いられるＤＣＩフォーマットはＤＣＩフォーマット１Ａを使用する。
【０１２７】
（図１３のステップＳ２５について）
基地局装置は、ＭＴＣＵＥ１によって送信されたランダムアクセスプリアンブルを検出した場合、ランダムアクセスプリアンブルからＭＴＣＵＥ１と基地局装置との間の送信タイミングずれ量を算出し、ＭＴＣ−ＰＵＳＣＨにおけるＬ２／Ｌ３メッセージ、すなわちメッセージ３を送信するためのリソーススケジューリング、例えば上りリンクの無線リソース位置、送信フォーマット（メッセージサイズ）などを指定し、Ｔｅｍｐｏｒａｒｙ  Ｃ−ＲＮＴＩを割り当て、ＭＴＣ−ＣＳＳ（５）にＭＴＣ−ＲＡＣＨのランダムアクセスプリアンブルを送信したＭＴＣＵＥ１宛の応答（ランダムアクセスレスポンス）を示すＲＡ−ＲＮＴＩを配置し、ＭＴＣ−ＰＤＳＣＨに送信タイミングずれ情報、スケジューリング情報、Ｔｅｍｐｏｒａｒｙ  Ｃ−ＲＮＴＩおよび受信したプリアンブルのプリアンブル番号（シーケンス番号）を含んだランダムアクセスレスポンスメッセージを配置し、ＭＴＣＵＥ１メッセージ２を送信する。すなわち、例えば、基地局装置は、ＭＴＣ−ＣＳＳ（５）において、ＲＡ−ＲＮＴＩがスクランブルされたＣＲＣを伴うＭＴＣ−ＰＤＣＣＨ（４）を配置する。すなわち、例えば、基地局装置は、ＭＴＣ−ＣＳＳ（５）において、ＲＡ−ＲＮＴＩがスクランブルされたＣＲＣを伴う下りリンク制御情報をＭＴＣ−ＰＤＣＣＨ（４）で送信する。
【０１２８】
（図１３のステップＳ２６について）
基地局装置は、ＵＥ１からのランダムアクセスプリアンブルか、または、ＭＴＣＵＥ１からのランダムアクセスプリアンブルが判断できない場合、ランダムアクセスプリアンブルから移動局装置と基地局装置との間の送信タイミングずれ量を算出し、ＰＵＳＣＨとＭＴＣ−ＰＵＳＣＨ双方におけるＬ２／Ｌ３メッセージ、すなわちメッセージ３を送信するためのリソーススケジューリング、例えば上りリンクの無線リソース位置、送信フォーマット（メッセージサイズ）などを指定し、Ｔｅｍｐｏｒａｒｙ  Ｃ−ＲＮＴＩ（Cell-Radio Network Temporary Identity：移動局装置識別情報）を割り当て、ＣＳＳとＭＴＣ−ＣＳＳ（５）の双方にランダムアクセスプリアンブルを送信した移動局装置宛の応答（ランダムアクセスレスポンス）を示すＲＡ−ＲＮＴＩを配置し、ＰＤＳＣＨ及びＭＴＣ−ＰＤＳＣＨに送信タイミングずれ情報、スケジューリング情報、Ｔｅｍｐｏｒａｒｙ  Ｃ−ＲＮＴＩおよび受信したプリアンブルのプリアンブル番号（シーケンス番号）を含んだランダムアクセスレスポンスメッセージを配置し、移動局装置メッセージ２を送信する。
【０１２９】
尚、ステップ２４，２５，２６のランダムアクセスレスポンスで移動局装置にスケジューリングされた無線リソースは、１リソースブロック（１サブフレーム）分だけである。
【０１３０】
（図１３のステップＳ２７について）
移動局装置は自局がＵＥ１またはＭＴＣＵＥ１であるかを判断する。移動局装置は、内蔵の移動局装置能力情報などからＵＥ１かＭＴＣＵＥ１かを判断し、処理手順を切り替える。ＭＴＣＵＥ１であればステップＳ２８（Ｙｅｓ）へ、ＵＥ１であればステップＳ２９（Ｎｏ）へ遷移する。しかし、単一能力の移動局装置であれば、本ステップが不要で、該当ステップをパスして、ＵＥ１とＭＴＣＵＥ１のそれぞれのステップに進む。
【０１３１】
（図１３のステップＳ２８について）
ＵＥ１はＵＥ１メッセージ２を受信する。ＵＥ１はＣＳＳにＲＡ−ＲＮＴＩがあることを検出すると、ＰＤＳＣＨに配置されたランダムアクセスレスポンスメッセージの中身を確認し、送信したランダムアクセスプリアンブルに対応するプリアンブル番号が含まれている場合、ＵＥ１のメッセージ２の情報を抽出する。
【０１３２】
（図１３のステップＳ２９について）
ＭＴＣＵＥ１はＭＴＣＵＥ１のメッセージ２を受信する。ＭＴＣＵＥ１はＭＴＣ−ＣＳＳ（５）にＲＡ−ＲＮＴＩがあることを検出すると、ＭＴＣ−ＰＤＳＣＨに配置されたランダムアクセスレスポンスメッセージの中身を確認し、送信したランダムアクセスプリアンブルに対応するプリアンブル番号が含まれている場合、ＭＴＣＵＥ１のメッセージ２の情報を抽出する。すなわち、例えば、ＭＴＣＵＥ１は、ＭＴＣ−ＣＳＳ（５）において、ＲＡ−ＲＮＴＩがスクランブルされたＣＲＣを伴うＭＴＣ−ＰＤＣＣＨ（４）をモニタする。すなわち、例えば、ＭＴＣＵＥ１は、ＭＴＣ−ＣＳＳ（５）において、ＲＡ−ＲＮＴＩがスクランブルされたＣＲＣを伴う下りリンク制御情報をモニタする。
【０１３３】
（図１３のステップＳ３０について）
移動局装置は、抽出したメッセージ２の情報を用いて、送信タイミングずれを補正し、スケジューリングされた無線リソースと送信フォーマットでＴｅｍｐｏｒａｒｙ  Ｃ−ＲＮＴＩ（またはC-RNTI）および、ＩＭＳＩ（International Mobile Subscriber Identity）等の移動局装置を識別する情報を含むＬ２／Ｌ３メッセージ、すなわちメッセージ３を送信する。
【０１３４】
尚、移動局装置は、基地局装置からのランダムアクセスレスポンスメッセージを一定期間待ち続け、送信したランダムアクセスプリアンブルのプリアンブル番号を含んだランダムアクセスレスポンスメッセージを受信しない場合は、再度、ランダムアクセスプリアンブルを送信する。
【０１３５】
（図１３のステップＳ３１について）
基地局装置は、Ｌ２／Ｌ３メッセージ、すなわちメッセージ３を受信した場合、メッセージ３に対する応答として衝突確認（コンテンションレゾリューション）メッセージを移動局装置に送信するために、ＵＥ１からのメッセージ３か、ＭＴＣＵＥ１からのメッセージ３かを判断する。判断の一例として、移動局装置から送信されたＬ２／Ｌ３メッセージがどの移動局装置に割り当てられたＰＵＳＣＨの無線リソースかで判断する。
【０１３６】
（図１３のステップＳ３２について）
基地局装置は、移動局装置から送信されたメッセージ３がＵＥ１に割り当てたＰＵＳＣＨの無線リソースであれば、ＣＳＳにＬ２／Ｌ３メッセージに含まれているＴｅｍｐｏｒａｒｙ  Ｃ−ＲＮＴＩ（またはC-RNTI）を配置し、ＰＤＳＣＨにメッセージ３で含まれていた移動局装置の識別情報を含んだ衝突確認メッセージを配置し、ＵＥ１メッセージ４を送信する。
【０１３７】
（図１３のステップＳ３３について）
基地局装置は、移動局装置から送信されたメッセージ３がＭＴＣＵＥ１に割り当てたＭＴＣ−ＰＵＳＣＨの無線リソースであれば、ＭＴＣ−ＣＳＳ（５）にＬ２／Ｌ３メッセージに含まれているＴｅｍｐｏｒａｒｙ  Ｃ−ＲＮＴＩ（またはC-RNTI）を配置し、ＭＴＣ−ＰＤＳＣＨにメッセージ３で含まれていた移動局装置の識別情報を含んだ衝突確認メッセージを配置し、ＭＴＣＵＥ１メッセージ４を送信する。
【０１３８】
（図１３のステップＳ３４について）
移動局装置はＵＥ１またはＭＴＣＵＥ１を判断する。移動局装置は、内蔵の移動局装置能力情報などからＵＥ１かＭＴＣＵＥ１を判断し、処理手順を切り替える。ＭＴＣＵＥ１であればステップＳ３６（Ｙｅｓ）へ、ＵＥ１であればステップＳ３５（Ｎｏ）へ遷移する。しかし、単一能力の移動局装置であれば、本ステップが不要で、該当ステップをパスして、ＵＥ１とＭＴＣＵＥ１のそれぞれのステップに進む。
【０１３９】
（図１３のステップＳ３５について）
ＵＥ１はＵＥ１メッセージ４を受信する。ＵＥ１はＣＳＳにＴｅｍｐｏｒａｒｙ  Ｃ−ＲＮＴＩがあることを検出すると、ＰＤＳＣＨに配置された衝突確認メッセージの中身を確認し、自移動局装置の識別情報が含まれている場合、ランダムアクセス手順を終了する。
【０１４０】
（図１３のステップＳ３６について）
ＭＴＣＵＥ１はＭＴＣＵＥ１メッセージ４を受信する。ＭＴＣＵＥ１はＭＴＣ−ＣＳＳ（５）にＴｅｍｐｏｒａｒｙ  Ｃ−ＲＮＴＩがあることを検出すると、ＭＴＣ−ＰＤＳＣＨに配置された衝突確認メッセージの中身を確認し、自移動局装置の識別情報が含まれている場合、ランダムアクセス手順を終了する。例えば、ＭＴＣＵＥ１は、ＭＴＣ−ＣＳＳ（５）において、Ｔｅｍｐｏｒａｒｙ  Ｃ−ＲＮＴＩがスクランブルされたＣＲＣを伴うＭＴＣ−ＰＤＣＣＨ（４）をモニタする。
【０１４１】
尚、移動局装置は、一定期間内に送信したランダムアクセスプリアンブルに対応するプリアンブル番号を含むランダムアクセスレスポンスメッセージを検出しなかった場合、メッセージ３の送信に失敗した場合、または、一定期間内に衝突確認メッセージに自移動局装置の識別情報を検出しなかった場合、ランダムアクセスプリアンブルの送信（メッセージ１）からやり直す。尚、ランダムアクセス手順終了後は、更に基地局装置と移動局装置との間で接続の為の制御データのやり取りがされる。
【０１４２】
ランダムアクセス終了後、移動局装置と基地局装置間では、ＬＴＥ仕様書に規定されているＲＲＣ接続確立手順（RRC Connection Establishment Procedure）を行い、待ち受けモードから無線接続モードに移行する。
【０１４３】
移動局装置は、ＲＲＣ接続確立手順中、または、ＲＲＣ接続確立手順後、移動局装置能力メッセージを送信する。移動局装置は、ＬＴＥ仕様書に規定されている移動局装置能力伝送手順（UE Capability Transfer）を用いて、ＵＥ１かＭＴＣＵＥ１かを示す移動局装置能力信号を送信する。移動局装置は、移動局装置能力信号の形式として、ＬＴＥ仕様書に規定されているＲＲＣメッセージの１つである移動局装置能力（UE Capability Information, またはUE EUTRA Capability Information）メッセージに、ＵＥ１かＭＴＣＵＥ１の情報を追加したものを用いる。
【０１４４】
ここで、移動局装置能力メッセージ（UE Capability Information, またはUE EUTRA Capability Information）には、例えば、ＵＥ１かＭＴＣＵＥ１を示す１ビット（または符号化された複数のビット）、またはＵＥ１かＭＴＣＵＥ１に関連する複数の情報ビットが含まれる。
【０１４５】
例えば、
-- ASN1START
UE-EUTRA-Capability ::= SEQUENCE {
・・・・・・
MTC-Capability       ENUMERATED { supported },  --“1”=MTCUE1; “0”=UE1
}
-- ASN1STOP
に示したように、抽象構文記法ＡＳＮ（Abstract Syntax Notation）による記述されている移動局装置能力（UE EUTRA Capability Information）ＵＥ１かＭＴＣＵＥ１かを示す移動局装置能力信号、例えばMTC-Capabilityメッセージを追加する。
【０１４６】
移動局装置能力信号が追加された移動局装置能力メッセージは、後述の移動局装置の構成によりＡＳＮエンコーダプロセスにより情報ビット列に変換され、移動局装置能力メッセージとして、移動局装置能力伝送手順（UE Capability Transfer）を通して、基地局装置に送信される。
【０１４７】
基地局装置は、後述の移動局装置の構成によりＡＳＮディコーダプロセスにより情報ビット列を抽出し、移動局装置能力メッセージの情報、例えば、MTC-Capabilityの情報、すなわちＵＥ１かＭＴＣＵＥ１を示す移動局装置能力信号を復号し、移動局装置能力として基地局装置及び／または基地局装置と接続するコアネットワーク（図示なし）に保存されている。
【０１４８】
また、図１３に示したように、ＭＴＣＵＥ１の上りリンクの帯域幅は、基地局装置の上りリンクシステム帯域幅（例えば２０ＭＨｚ）より狭く、且つ基地局装置の上りリンクシステム帯域幅（例えば２０ＭＨｚ）の高い周波数端にマッピングされているが、基地局装置の上りリンクシステム帯域幅（例えば２０ＭＨｚ）と同じ、または基地局装置の上りリンクシステム帯域幅（例えば２０ＭＨｚ）より狭く、且つ基地局装置の上りリンクシステム帯域幅（例えば２０ＭＨｚ）の低い周波数端に、または基地局装置の上りリンクシステム帯域幅（例えば２０ＭＨｚ）より狭く、且つ基地局装置の上りリンクシステム帯域幅（例えば２０ＭＨｚ）の中心周波数ｆ２にマッピングされることもできる。
【０１４９】
尚、ＭＴＣＵＥ１の上りリンクの帯域幅、周波数位置、ＭＴＣ−ＰＲＡＣＨ（１０）のリソース領域（１０Ａ〜１０Ｂ）などのＭＴＣＵＥ１の上りリンクの情報は、ＭＴＣ−ＳＩＢ２（８）で通知される。
【０１５０】
（基地局装置のページングの送信手順について）
基地局装置は、図１３に示したランダムアクセス手順により、移動局装置がＵＥ１かＭＴＣＵＥ１かを識別することができる。また、基地局装置は、移動局装置から通知された移動局装置能力によって、移動局装置がＵＥ１かＭＴＣＵＥ１かを識別することができる。図１４は、基地局装置のページング送信手順の一例を示した図である。
【０１５１】
（図１４のステップＳ１０１について）
基地局装置は、ＵＥ１またはＭＴＣＵＥ１に対してページングメッセージの送信が必要であるかを検出する。基地局装置がページングメッセージの送信が必要であることを検出するのは、例えば、基地局装置が上位制御装置から移動局装置の呼出し通知を要求されたとき、基地局装置が管理しているセルのシステム情報の更新が必要なとき、上位制御装置から地震津波警報（ETWS）の通知が必要であることを通知されたとき、である。
【０１５２】
（図１４のステップＳ１０２について）
ページングメッセージの送信が必要であることを検出した基地局装置は、図１３の手順によってページングの送信対象となる移動局装置がＵＥ１かＭＴＣＵＥ１かを識別する。基地局装置は、ＵＥ１かＭＴＣＵＥ１を判断し、ページングの送信手順を切り替える。すなわち、ＭＴＣＵＥ１であればステップＳ１０４（Ｙｅｓ）へ、ＵＥ１であればステップＳ１０３（Ｎｏ）へ遷移する。ただし、例えば地震津波警報（ETWS）の通知のように全ての移動局装置を対象としたページングメッセージの送信が必要である場合、基地局装置は、ステップＳ１０２の判断を行わずにステップＳ１０３とステップＳ１０４の両方の送信手順を実行してもよい。
【０１５３】
（図１４のステップＳ１０３について）
ＵＥ１に対する呼出し通知を要求された基地局装置は、ＵＥ１に対してページング用のＲＮＴＩ（Ｐ−ＲＮＴＩ）がスクランブルされたＣＲＣを伴うＰＤＣＣＨをＵＥ１対応の下りリンクシステム帯域幅（例えば２０ＭＨｚ）のＣＳＳで送信する。このとき、基地局装置は、ページングメッセージ内にページングの対象となるＵＥ１の識別子（一時的サービス加入者識別子：Ｓ−ＴＭＳＩ、国際加入者識別子：ＩＭＳＩ）を配置する。そして、基地局装置は、ＵＥ１の識別子が配置されたページングメッセージをＰＤＳＣＨで送信する。
【０１５４】
ＵＥ１に対するシステム情報の更新が必要であることを検出した基地局装置は、ＵＥ１に対してページング用のＲＮＴＩ（Ｐ−ＲＮＴＩ）がスクランブルされたＣＲＣを伴うＰＤＣＣＨをＵＥ１対応の下りリンクシステム帯域幅（例えば２０ＭＨｚ）のＣＳＳで送信する。このとき、基地局装置は、ＰＤＳＣＨで送信されるページングメッセージ内にシステム情報の更新を示す情報を配置する。そして、基地局装置は、ＵＥ１に対するシステム情報の更新を示す情報が配置されたページングメッセージをＰＤＳＣＨで送信する。また、基地局装置は、更新が必要なシステム情報をシステム情報の更新周期（modification period）となるタイミングで更新し、ＰＤＳＣＨで送信する。
【０１５５】
ＵＥ１に対する地震津波警報（ETWS）の通知が必要であることを検出した基地局装置は、ＵＥ１に対してページング用のＲＮＴＩ（Ｐ−ＲＮＴＩ）がスクランブルされたＣＲＣを伴うＰＤＣＣＨをＵＥ１対応の下りリンクシステム帯域幅（例えば２０ＭＨｚ）のＣＳＳで送信する。このとき、基地局装置は、ＰＤＳＣＨで送信されるページングメッセージ内に地震津波警報（ETWS）の通知を示す情報を配置する。そして、基地局装置は、ＵＥ１に対する地震津波警報（ETWS）の通知を示す情報が配置されたページングメッセージをＰＤＳＣＨで送信する。また、基地局装置は、地震津波警報（ETWS）の情報に関するシステム情報をＭＴＣ−ＰＤＳＣＨで送信する。
【０１５６】
（図１４のステップＳ１０４について）
ＭＴＣＵＥ１に対する呼出し通知を要求された基地局装置は、ＭＴＣＵＥ１に対してページング用のＲＮＴＩ（Ｐ−ＲＮＴＩ）がスクランブルされたＣＲＣを伴うＭＴＣ−ＰＤＣＣＨ（４）をＭＴＣＵＥ１対応の下りリンクシステム帯域幅（例えば５ＭＨｚ）のＭＴＣ−ＣＳＳ（５）で送信する。このとき、基地局装置は、ページングメッセージ内にページングの対象となるＭＴＣＵＥ１の識別子を配置する。そして、基地局装置は、ＭＴＣＵＥ１の識別子が配置されたページングメッセージをＭＴＣ−ＰＤＳＣＨで送信する。
【０１５７】
ＭＴＣＵＥ１に対するシステム情報の更新が必要であることを検出した基地局装置は、ＭＴＣＵＥ１に対してページング用のＲＮＴＩ（Ｐ−ＲＮＴＩ）がスクランブルされたＣＲＣを伴うＭＴＣ−ＰＤＣＣＨ（４）をＭＴＣＵＥ１対応の下りリンクシステム帯域幅（例えば５ＭＨｚ）のＭＴＣ−ＣＳＳ（５）で送信する。このとき、基地局装置は、ＭＴＣ−ＰＤＳＣＨで送信されるページングメッセージ内にシステム情報の更新を示す情報を配置する。そして、基地局装置は、ＭＴＣＵＥ１に対するシステム情報の更新を示す情報が配置されたページングメッセージをＭＴＣ−ＰＤＳＣＨで送信する。また、基地局装置は、更新が必要なシステム情報をシステム情報の更新周期（modification period）となるタイミングで更新し、ＭＴＣ−ＰＤＳＣＨで送信する。
【０１５８】
ＭＴＣＵＥ１に対する地震津波警報（ETWS）の通知が必要であることを検出した基地局装置は、ＭＴＣＵＥ１に対してページング用のＲＮＴＩ（Ｐ−ＲＮＴＩ）がスクランブルされたＣＲＣを伴うＭＴＣ−ＰＤＣＣＨ（４）をＭＴＣＵＥ１対応の下りリンクシステム帯域幅（例えば５ＭＨｚ）のＭＴＣ−ＣＳＳ（５）で送信する。このとき、基地局装置は、ＭＴＣ−ＰＤＳＣＨで送信されるページングメッセージ内に地震津波警報（ETWS）の通知を示す情報を配置する。そして、基地局装置は、ＭＴＣＵＥ１に対する地震津波警報（ETWS）の通知を示す情報が配置されたページングメッセージをＭＴＣ−ＰＤＳＣＨで送信する。また、基地局装置は、地震津波警報（ETWS）の情報に関するシステム情報ＭＴＣ−ＰＤＳＣＨで送信する。
【０１５９】
すなわち、基地局装置は、移動局装置がＵＥ１であるかＭＴＣＵＥ１であるかを識別することによって、それぞれ異なるページング送信手順を用いることができる。例えば、基地局装置は、ＵＥ１に対するページングをＰ−ＲＮＴＩが配置されたＰＤＣＣＨをＣＳＳで送信することによって通知し、ＭＴＣＵＥ１に対するページングをＰ−ＲＮＴＩが配置されたＭＴＣ−ＰＤＣＣＨ（４）をＭＴＣ−ＣＳＳ（５）で送信することによって通知する。
【０１６０】
（移動局装置のページングの受信手順について）
待ち受けモードのＭＴＣＵＥ１は、ＭＴＣ−ＣＳＳ（５）においてＭＴＣ−ＰＤＣＣＨ（４）を周期的にモニタし、ページングメッセージの送信を検出する。ＭＴＣＵＥ１に対するページングメッセージは、ＭＴＣ−ＰＤＣＣＨ（４）にページング用のＲＮＴＩ（Ｐ−ＲＮＴＩ）を配置することによって送信される。ＭＴＣＵＥ１はＭＴＣ−ＣＳＳ（５）にＰ−ＲＮＴＩがあることを検出すると、ＭＴＣ−ＰＤＳＣＨに配置されたページングメッセージを受信し、ページングメッセージ内に自局の識別子（一時的サービス加入者識別子：Ｓ−ＴＭＳＩ、国際加入者識別子：ＩＭＳＩ）が配置されているかを確認し、自局の識別子（Ｓ−ＴＭＳＩ、ＩＭＳＩ）が配置されていた場合、ＲＲＣ接続確立手順を開始する。
【０１６１】
また、待ち受けモードまたは無線接続モードのＭＴＣＵＥ１は、ＭＴＣ−ＣＳＳ（５）においてＭＴＣ−ＰＤＣＣＨ（４）をモニタし、ページングメッセージにシステム情報の更新または地震津波警報（ETWS）が含まれているかを検出する。ＭＴＣＵＥ１はＭＴＣ−ＣＳＳ（５）にＰ−ＲＮＴＩがあることを検出すると、ＭＴＣ−ＰＤＳＣＨに配置されたページングメッセージを受信し、システム情報の更新または地震津波警報（ETWS）が含まれているかを確認する。
【０１６２】
上記までのような構成とすることによって、マシンタイプコミュニケーションに対応する移動局装置が、効率的に通信を行うことができる。例えば、マシンタイプコミュニケーションに対応する移動局装置が、従来のシステムと後方互換性を持ちながら、効率的に、基地局装置と通信することができる。また、マシンタイプコミュニケーションに対応する移動局装置の下りリンク周波数帯域幅（受信帯域幅）及び／または上りリンク周波数帯域幅（送信帯域幅）の狭帯域化により低コストのＭＴＣデバイスまたはＭＴＣ端末を提供することができる。
【０１６３】
（基地局装置の構成について）
図１５は、本発明の第１の実施形態に関わる基地局装置の構成を示す図である。基地局装置は、インターフェース部、上位レイヤ処理部（３）、物理チャネル生成部（３）、多重部（３）、送信部（３）、送信アンテナ部（３）、受信アンテナ部（３）、受信部（３）、多重分離部（３）、物理チャネル復調部（３）、制御部（３）を備える。物理チャネル生成部（３）は、共通チャネル生成部（３）、ＵＥ１対応チャネル生成部（３）、ＭＴＣＵＥ１対応チャネル生成部（３）を備える。また、物理チャネル復調部（３）は、ＵＥ１対応チャネル復調部（３）、ＭＴＣＵＥ１対応チャネル復調部（３）を備える。
【０１６４】
共通チャネル生成部（３）は、図１に示したＵＥ１及びＭＴＣＵＥ１が共通に受信する共通チャネルのＤＬＲＳ、ＳＳ、ＰＢＣＨの信号を生成する。ＵＥ１対応チャネル生成部（３）は、図１に示したように、ＵＥ１が受信するチャネルのＰＤＣＣＨ、ＰＣＦＩＣＨ、ＰＨＩＣＨ、ＰＤＳＣＨの信号を生成する。ＭＴＣＵＥ１対応チャネル生成部（３）は、図１に示したように、ＭＴＣＵＥ１が受信するチャネルのＭＴＣ−ＰＤＣＣＨ（４）、ＭＴＣ−ＰＣＦＩＣＨ、ＭＴＣ−ＰＨＩＣＨ、ＭＴＣ−ＰＤＳＣＨの信号を生成する。
【０１６５】
多重部は（３）、図２に示したように、ＵＥ１の場合、共通チャネル生成部（３）及びＵＥ１対応チャネル生成部（３）により生成したＤＬＲＳ、ＳＳ、ＰＢＣＨ、ＰＤＣＣＨ、ＰＣＦＩＣＨ、ＰＨＩＣＨ、ＰＤＳＣＨの信号を下りリンクの無線フレームにマップングし、下りリンクの無線フレームベースバンド信号を生成し、送信部（３）に送る。また、多重部（３）は、図３または図４ａに示したように、ＵＥ１とＭＴＣＵＥ１が混在する場合、共通チャネル生成部（３）、ＵＥ１対応チャネル生成部（３）、及びＭＴＣＵＥ１対応チャネル生成部（３）により生成したＤＬＲＳ、ＳＳ、ＰＢＣＨ、ＰＤＣＣＨ、ＰＣＦＩＣＨ、ＰＨＩＣＨ、ＰＤＳＣＨ、ＭＴＣ−ＰＤＣＣＨ（４）、ＭＴＣ−ＰＣＦＩＣＨ、ＭＴＣ−ＰＨＩＣＨ、ＭＴＣ−ＰＤＳＣＨ信号を下りリンクの無線フレームにマップングし、さらに高速逆フーリエ変換ＩＦＦＴ（Inverse Fast Fourier Transform）、ガードインターバルＧＩ（Guard Interval）の挿入し、下りリンクの無線フレームのベースバンド信号を生成して、送信部（３）に送る。
【０１６６】
送信部（３）は、多重部（３）から出力された下りリンクの無線フレームベースバンド信号をデジタル／アナログ変換し、帯域幅制限などのフィルタ処理、直交変調処理を行って所定のＲＦ信号を生成し、さらにＲＦ信号を所定の出力電力に増幅して送信アンテナ部（３）に出力する。なお、図１３には、１つの送信アンテナ部（３）および１つの送信部（３）を示したが、各下りリンク物理チャネルのレイヤマッピング処理に応じて、複数の送信アンテナ部（３）および複数の送信部（３）を備えることとしてもよい。
【０１６７】
受信部（３）は、受信アンテナ部（３）から所定の上りリンク物理チャネルのＲＦ信号を受信し、増幅、周波数変換、フィルタ処理、直交復調処理、アナログ／デジタル変換などを行い、その結果得られた上りリンク物理チャネル信号を多重分解部（３）に出力する。なお、図１５には、１つの受信アンテナ部（３）および１つの受信部（３）を示したが、各上りリンク物理チャネルのレイヤマッピング処理に応じて、複数の受信アンテナ部（３）および複数の受信部（３）を備えることとしてもよい。また、図１５には、送信アンテナ部（３）と受信アンテナ部（３）とを別々に示したが、ＦＤＤモードの基地局装置ではアンテナ共用器ＤＵＰ（Diplexer）を、ＴＤＤモードの基地局装置ではアンテナ切り替え部ＳＷ（Switch）を用いることにより、１つの共用アンテナを使用することもできる。
【０１６８】
多重分解部（３）は、移動局装置から受信した上りリンク物理チャネル信号に対して、ＯＦＤＭシンボルタイミング検出、ガードインターバルＧＩ除去、高速フーリエ変換ＦＦＴ（Fast Fourier Transform）を行って、ＵＥ１の場合は、図８に示した上りリンクの無線フレームのベースバンド信号を生成し、またＵＥ１とＭＴＣＵＥ１が混在する場合は、図９に示した上りリンクシステム帯域幅（例えば２０ＭＨｚ）の無線フレームのベースバンド信号から、各物理チャネルを抽出し、物理チャネル復調部（３）に出力する。
【０１６９】
ＵＥ１対応チャネル復調部（３）は、図１に示したＵＥ１から送信されたＵＬＲＳ、ＰＵＣＣＨ、ＰＵＳＣＨ、ＰＲＡＣＨの信号を復調する。ＭＴＣＵＥ１対応チャネル復調部（３）は、図１に示したＭＴＣＵＥ１から送信されるＭＴＣ−ＵＬＲＳ、ＭＴＣ−ＰＵＣＣＨ（９）、ＭＴＣ−ＰＵＳＣＨ、ＭＴＣ−ＰＲＡＣＨ（１０）の信号を復調する。
【０１７０】
制御部（３）は、各ブロックの制御を行う。例えば、制御部（３）は、各ブロックのタイミング制御、オンオフ制御、上りリンク無線伝搬路状況の測定、上りおよび下りリンクの無線リソーススケジューリング、所定の通信プロトコルおよびプロシージャの処理などを行う。インターフェース部は、コアーネットワーク（図示なし）に接続し、ユーザデータ及び制御データを送受信する。
【０１７１】
上位レイヤ処理部（３）は、インターフェース部を通じて、コアーネットワークに接続し、上位レイヤのユーザデータおよび制御データの生成処理および抽出処理を行う。また、上位レイヤ処理部（３）は、各種の通信プロトコルおよびプロシージャ処理を行う。上位レイヤ処理部（３）には、データ制御部（３）を備える。
【０１７２】
データ制御部（３）は、制御部（３）を通じて、図３に示したようにＰＢＣＨにＳＩＢ１（７）関連データの生成と、ＭＴＣ−ＰＤＣＣＨ（４）、ＭＴＣ−ＰＣＦＩＣＨ、ＭＴＣ−ＰＨＩＣＨ、及びＭＴＣ−ＰＣＳＣＨ関連データの生成と、下りリンク無線フレーム制御データの生成と、移動局装置への送信を制御する。また、データ制御部（３）は、図７に示したように、ＭＴＣＵＥ１対応の下りリンクシステム帯域幅（例えば５ＭＨｚ）以内において、ＳＩＢ１（７）のリソース領域（７Ａ〜７Ｃ）に、ＭＴＣ−ＳＩＢ２〜１３（８）のリソース領域（８Ａ〜８Ｃ）にリソースマッピングするように制御する。データ制御部（３）の制御により、図１１に示した移動局装置のシステムインフォメーション獲得手順が動作することができる。
【０１７３】
また、データ制御部（３）は、図７に示したように、ＭＴＣＵＥ１対応の上りリンクシステム帯域幅（例えば５ＭＨｚ）以内において、ＳＩＢ２（１０）のリソース領域（１０Ａ〜１０Ｃ）にリソースマッピングするように制御する。物理チャネル復調部（３）１により移動局装置から送信されたＰＲＡＣＨまたはＭＴＣ−ＰＲＡＣＨ（１０）ののランダムアクセスプリアンブルを受信した場合、ＣＳＳか、ＭＴＣ−ＣＳＳ（５）か、またはＣＳＳ及びＭＴＣ−ＣＳＳ（５）双方かにランダムアクセスレスポンス（メッセージ２）を送信するように制御する。データ制御部（３）の制御により、図１３に示したランダムアクセス手順が動作することができる。
【０１７４】
また、データ制御部（３）は、移動局装置能力伝送手順（UE Capability Transfer）を通して、移動局装置能力信号が追加された移動局装置能力メッセージの受信を制御する。上位レイヤ処理部（３）には、ＡＳＮディコーダが含まれて、ＡＳＮディコーダプロセスにより情報ビット列を抽出され、移動局装置能力メッセージの情報、例えば、MTC-Capabilityの情報、すなわちＵＥ１かＭＴＣＵＥ１かを示す移動局装置能力信号を復号し、移動局装置能力として基地局装置に保存される。
【０１７５】
また、データ制御部（３）は、基地局装置のページングの送信手順を通じて、ＵＥ１対応チャネル生成部（３）に対してＵＥ１対応のページングメッセージを、ＭＴＣＵＥ１対応チャネル生成部（３）に対してＭＴＣＵＥ１対応のページングメッセージを挿入することができる。
【０１７６】
なお、ここでは、基地局装置が、ＯＦＤＭ信号の送受信を行う場合について説明したが、本発明はこれに限らず、基地局装置は、回路ブロックの機能変更により、移動局装置によりＳＣ−ＦＤＭＡ方式で送信された上りリンク信号を受信してもよい。または上り周波数帯域非連続のＳＣ−ＦＤＭＡ（Clustered DFT-S-OFDMまたはCL-DFT-S-OFDM（Clustered Discrete Fourier Transform Spread OFDM)）方式で送信された上りリンク信号を受信してもよい。また、図１５に示した基地局装置の構成は、ＦＤＤモード、またはＴＤＤモード、またはＦＤＤ／ＴＤＤのデュアルモードのいずれに対応するものであってもよい。
【０１７７】
（移動局装置の構成について）
図１６は、本発明の第１の実施形態に関わるＭＴＣＵＥ１の構成を示す図である。ＭＴＣＵＥ１は、送受信アンテナ部１、アンテナ共用器１、受信部１、多重分離部１、物理チャネル復調部１、物理チャネル生成部１、物理チャネル生成部１、多重部１、送信部１、及び制御部１、上位レイヤ処理部１を備える。送受信アンテナ部１は、図１に示した基地局装置からの信号を受信する。送受信アンテナ部１からの受信信号は、アンテナ共用器１に入力され、一方、送信部１からの送信信号は、送受信アンテナ部１により送信される。
【０１７８】
受信部１は、アンテナ共用器１からの受信信号を増幅、周波数変換、直交復調、フィルタリング、アナログ／デジタル変換処理などを行う。受信部１の周波数帯域は、ＭＴＣＵＥ１対応下りリンク周波数帯域幅（例えば５ＭＨz）に制限されているため、図３に示したＭＴＣＵＥ１対応下りリンク周波数帯域幅（例えば５ＭＨz）の無線フレーム構成のベースバンド信号が多重分離部１に出力される。
【０１７９】
多重分解部（１）は、基地局装置から受信した下りリンク物理チャネル信号に対して、ＯＦＤＭシンボルタイミング検出、ガードインターバルＧＩ除去、高速フーリエ変換ＦＦＴ（Fast Fourier Transform）を行って、図３に示したＭＴＣＵＥ１対応下りリンクシステム帯域幅（例えば５ＭＨｚ）の無線フレームのベースバンド信号から、各物理チャネル信号を抽出し、物理チャネル復調部（１）に出力する。
物理チャネル復調部（１）は、共通チャネル部（１）とＭＴＣＵＥ１対応チャネル復調部（１）を備える。
【０１８０】
共通チャネル部（１）は、図１に示したＵＥ１及びＭＴＣＵＥ１が共通に受信する共通チャネルのＤＬＲＳ、ＳＳ、ＰＢＣＨの信号を復調する。ＭＴＣＵＥ１対応チャネル復調部（１）は、図１に示したように、ＭＴＣＵＥ１が受信するチャネルのＭＴＣ−ＰＤＣＣＨ（４）、ＭＴＣ−ＰＣＦＩＣＨ、ＭＴＣ−ＰＨＩＣＨ、ＭＴＣ−ＰＤＳＣＨの信号を復調する。
【０１８１】
物理チャネル生成部（１）は、ＭＴＣＵＥ１対応チャネル生成部（１）を備える。ＭＴＣＵＥ１対応チャネル生成部（１）は、図１に示したように、基地局装置が受信するチャネルのＭＴＣ−ＵＬＲＳ、ＭＴＣ−ＰＵＣＣＨ（９）、ＭＴＣ−ＰＵＳＣＨ、ＭＴＣ−ＰＲＡＣＨ（１０）の信号を生成する。ＵＥ１対応チャネル復調部（１）は、図１に示したＵＥ１から送信されたＵＬＲＳ、ＰＵＣＣＨ、ＰＵＳＣＨ、ＰＲＡＣＨの信号を復調する。ＭＴＣＵＥ１対応チャネル復調部（１）は、図１に示したＭＴＣＵＥ１から送信されるＭＴＣ−ＵＬＲＳ、ＭＴＣ−ＰＵＣＣＨ（９）、ＭＴＣ−ＰＵＳＣＨ、ＭＴＣ−ＰＲＡＣＨ（１０）の信号を復調する。
【０１８２】
制御部（１）は、各ブロックの制御を行う。例えば、制御部（１）は、各ブロックのタイミング制御、オンオフ制御、上りリンク無線伝搬路状況の測定、上りおよび下りリンクの無線リソーススケジューリング、所定の通信プロトコルおよびプロシージャによる制御などを行う。また、多重部（１）は、図９に示したように、ＭＴＣＵＥ１対応チャネル生成部（１）により生成したＭＴＣ−ＵＬＲＳ、ＭＴＣ−ＰＵＣＣＨ（９）、ＭＴＣ−ＰＵＳＣＨ、ＭＴＣ−ＰＲＡＣＨ（１０）の信号を上りリンクの無線フレームにマップングし、さらに高速逆フーリエ変換ＩＦＦＴ（Inverse Fast Fourier Transform）、ガードインターバルＧＩ（Guard Interval）の挿入し、図３または図４ａに示したＭＴＣＵＥ１対応下りリンク周波数帯域幅（例えば５ＭＨz）の無線フレームのベースバンド信号を生成して、送信部（１）に送る。
【０１８３】
送信部（１）は、多重部（１）から出力された上りリンクの無線フレームベースバンド信号をデジタル／アナログ変換し、帯域幅制限などのフィルタ処理、直交変調処理を行って所定のＲＦ信号を生成し、さらにＲＦ信号を所定の出力電力に増幅して、アンテナ共用器（１）を通じて送受信アンテナ部（１）に出力する。
【０１８４】
上位レイヤ処理部（１）は、上位レイヤのユーザデータおよび制御データの生成処理および抽出処理を行い、また各種の通信プロトコルおよびプロシージャ処理を行う。上位レイヤ処理部（１）には、データ制御部（１）を備える。データ制御部（１）は、制御部（１）を通じて、図９に示したようにＭＴＣ−ＵＬＲＳ、ＭＴＣ−ＰＵＣＣＨ（９）、ＭＴＣ−ＰＵＳＣＨ、ＭＴＣ−ＰＲＡＣＨ（１０）の関連データの生成と、下りリンク無線フレームの生成と、移動局装置への送信を制御する。
【０１８５】
また、データ制御部（１）は、図９に示したように、ＭＴＣＵＥ１対応の下りリンクシステム帯域幅（例えば５ＭＨｚ）以内において、ＭＴＣ−ＵＬＲＳ、ＭＴＣ−ＰＵＣＣＨ、ＭＴＣ−ＰＵＳＣＨにリソースマッピングするように制御する。データ制御部（１）の制御により、図１１に示した移動局装置のシステムインフォメーション獲得手順が動作することができる。
【０１８６】
また、データ制御部（１）は、基地局装置から通知されたＰＲＡＣＨのリソース領域とＲＡＣＨのシーケンス情報を用いて、基地局装置にＰＲＡＣＨのランダムアクセスプリアンブルを送信するように制御する。データ制御部（１）の制御により、図１３に示したランダムアクセス手順が動作することができる。
【０１８７】
また、データ制御部（１）は、移動局装置能力伝送手順（UE Capability Transfer）を通して、移動局装置能力信号が追加された移動局装置能力メッセージの送信を制御する。上位レイヤ処理部（１）には、ＡＳＮエンコーダが含まれて、ＡＳＮエンコーダプロセスにより情報ビット列に変換され、移動局装置能力メッセージとして、例えば、MTC-Capabilityの情報、すなわちＵＥ１かＭＴＣＵＥ１かを示す移動局装置能力信号を符号化し、移動局装置能力として基地局装置に送信される。
【０１８８】
また、データ制御部（１）は、移動局装置のページングの受信手順を通じて、ＭＴＣＵＥ１対応チャネル復調部（１）からの復調されたＭＴＣ−ＰＤＣＣＨ（４）をモニタし、ページングメッセージの送信を検出することができる。
【０１８９】
なお、ここでは、ＭＴＣＵＥ１が、ＯＦＤＭ信号の送受信を行う場合について説明したが、本発明はこれに限らず、ＭＴＣＵＥ１は、回路ブロックの機能変更により、ＳＣ−ＦＤＭＡ方式で送信してもよい。または上り周波数帯域非連続のＳＣ−ＦＤＭＡ（Clustered DFT-S-OFDMまたはCL-DFT-S-OFDM（Clustered Discrete Fourier Transform Spread OFDM)）方式で送信してもよい。また、図１６に示したＭＴＣＵＥ1の構成は、ＦＤＤモード、またはＴＤＤモード、またはＦＤＤ／ＴＤＤのデュアルモードのいずれに対応するものであってもよい。
【発明を実施するための第２の実施形態】
【０１９０】
以下、本発明の第２の実施形態について詳しく説明する。
【０１９１】
図１１に示したように、ＭＴＣＵＥ１におけるこれまでの実施形態におけるシステムインフォメーション獲得手順は、ＭＴＣＵＥ１がＰＢＣＨとＳＩＢ１（７）を受信するまでの動作は通常のＵＥ１と共通で、ＳＩＢ２の受信処理以降の手順が異なっていた。そこで、本実施形態では、ＳＩＢ２〜１３とＭＴＣ−ＳＩＢ２〜１３（８）をそれぞれ異なるＰＤＳＣＨで送信せず、一つのシステムインフォメーションブロックにＵＥ１とＭＴＣＵＥ１で共通のシステム情報と、個別に適用されるシステム情報とをそれぞれ含めて送信する。
【０１９２】
例えば、基地局装置は、ＳＩＢ２の中にＭＴＣＵＥ１に適用されるＭＴＣ−ＳＩＢ２に相当するシステム情報を含めて送信する。ＳＩＢ２は、ＳＩＢ１（７）のＳＩＷに基づいて送信され、ＭＴＣＵＥ１対応の下りリンクシステム帯域幅（例えば５ＭＨｚ）以内のＰＤＳＣＨ、またはＭＴＣ−ＰＤＳＣＨのリソース領域で送信される。ＳＩＢ２を受信したＵＥ１は、ＵＥ１とＭＴＣＵＥ１で共通のシステム情報と、ＵＥ１に適用されるシステム情報を適用する。ＳＩＢ２を受信したＭＴＣＵＥ１は、ＵＥ１とＭＴＣＵＥ１で共通のシステム情報と、ＭＴＣＵＥ１に適用されるシステム情報を適用する。ＳＩＢ３以降も同様である。
【０１９３】
また、基地局装置は、ＭＴＣＵＥ１のみに適用される、ある一つのシステムインフォメーションブロックをＵＥ１のシステムインフォメーションブロックと異なるＰＤＳＣＨで送信してもよいし、ＵＥ１のシステムインフォメーションブロックに含めて送信してもよい。例えば、ＳＩＢ４のシステム情報は、ＳＩＢ４とＭＴＣ−ＳＩＢ４に分けて送信してもよい。この場合、ＳＩＢ４は基地局装置の下りリンクシステム帯域幅（例えば２０ＭＨｚ）のＰＤＳＣＨで送信され、ＭＴＣ−ＳＩＢ４は、ＭＴＣＵＥ１対応下りリンクシステム帯域幅以内のＰＤＳＣＨ、またはＭＴＣ−ＰＤＳＣＨのリソース領域で送信される。
【０１９４】
このように構成することによって、ＳＩＢ２〜１３とＭＴＣ−ＳＩＢ２〜１３で共通的に使用されるシステム情報を重複して送信しないシステム構成にすることが可能となる。さらに、ＳＩＢ１（７）において、ＭＴＣ−ＳＩＢ２〜１３（８）リソースの繰り返し送信を行う期間（System Information Window: SIW）の情報を送信しないで良いため、ＳＩＢ１（７）の受信処理を変更する必要がなくなる。
【０１９５】
本発明に関わる基地局装置、および移動局装置で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０１９６】
尚、上述した実施形態における移動局装置、基地局装置の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１９７】
尚、ここでいう「コンピュータシステム」とは、移動局装置、又は基地局装置に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１９８】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１９９】
また、上述した実施形態における移動局装置、基地局装置の一部、又は全部を典型的には集積回路であるＬＳＩとして実現してもよいし、チップセットとして実現してもよい。移動局装置、基地局装置の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０２００】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０２０１】
１Ａ、１Ｂ、１Ｃ  ＭＴＣ移動局装置
２Ａ、２Ｂ、２Ｃ  移動局装置
３  基地局装置
【図１】
2013157699.tif 000003
【図２】
2013157699.tif 000004
【図３】
2013157699.tif 000005
【図４ａ】
2013157699.tif 000006
【図４ｂ】
2013157699.tif 000007
【図５】
2013157699.tif 000008
【図６】
2013157699.tif 000009
【図７】
2013157699.tif 000010
【図８】
2013157699.tif 000011
【図９】
2013157699.tif 000012
【図１０】
2013157699.tif 000013
【図１１】
2013157699.tif 000014
【図１２ａ】
2013157699.tif 000015
【図１２ｂ】
2013157699.tif 000016
【図１３】
2013157699.tif 000017
【図１４】
2013157699.tif 000018
【図１５】
2013157699.tif 000019
【図１６】
2013157699.tif 000020